(57)【要約】本発明は、電話発信中リングバックトーンを利用して付加サービスの音源を変更およびプッシュする方法および装置に関する。第１実施例は電話発信中にリングバックトーンを利用して付加サービスの音源を変更する方法および装置に関するものである。第２実施例は電話発信中発信者の付加サービス音源を着信者のサービス音源としてプッシュする方法およびその装置に関するものである。
2007531343.tif 000002
【特許請求の範囲】
【請求項１】
移動通信網を通じて少なくとも一つの発信端末および少なくとも一つの着信端末を管理する交換器（ＭＳＣ）、サービスＩＰサーバー、およびコンテンツ提供者（ＣＰ）サーバーと結合するサービス提供システムで、音源変更サービス−電話発信中に着信者のリングバックトーン代替音源を利用して発信者の少なくとも一つの付加サービスの音源を変更するサービス−を提供する方法において、
前記発信端末の電話発信中に前記サービスＩＰサーバーを通じて前記発信端末からのＤＴＭＦショートカットキー信号を検出する段階；
前記ＤＴＭＦショートカットキー信号に応じて前記サービスＩＰサーバーから収集情報を受信する段階；
前記収集情報を予め決められた方式によって加工する段階；
前記加工された情報によって、前記収集情報に含まれたリングバックトーン代替音コードを前記ＣＰサーバーに伝送する段階−ここで、前記ＣＰサーバーは少なくとも前記第１ＭＣＰおよび前記発信者の付加サービスを提供する第２ＭＣＰの複数の音源コードと前記複数の音源コードにそれぞれ相応する複数の歌手名および曲名が相互に参照できるように作成されたマッピングテーブルを利用して前記リングバックトーン代替音コードに相応する前記付加サービスの音源コードを抽出する−；
前記ＣＰサーバーから前記音源コードを受信する段階；および
前記第２ＭＣＰに、前記収集情報に含まれた発信者情報および前記音源コードを含む音源変更要求信号を伝送する段階；
を含むことを特徴とする、音源変更サービス提供方法。
【請求項２】
移動通信網を通じて少なくとも一つの発信端末および少なくとも一つの着信端末を管理する交換器（ＭＳＣ）、サービスＩＰサーバー、およびコンテンツ提供者（ＣＰ）サーバーと結合するサービス提供システムで、音源変更サービス−電話発信中に着信者のリングバックトーン代替音源を利用して発信者の少なくとも一つの付加サービスの音源を変更するサービス−を提供する方法において、
前記発信端末の電話発信中に前記サービスＩＰサーバーを通じて前記発信端末からのＤＴＭＦショートカットキー信号を検出する段階；
前記ＤＴＭＦショートカットキー信号に応じて前記サービスＩＰサーバーから収集情報を受信する段階；
前記収集情報内のＤＴＭＦショートカットキー情報を加工する段階；
前記加工された情報によって着信者のリングバックトーン代替音を提供する第１ＭＣＰに前記収集情報に含まれたリングバックトーン代替音コードを伝送する段階；
前記第１ＭＣＰから前記リングバックトーン代替音コードに相応する音源情報を受信する段階；
前記ＣＰサーバーに前記音源情報を伝送する段階−ここで、前記ＣＰサーバーはマッピングテーブルを利用して前記音源情報に相応する前記付加サービスの音源コードを抽出する−；
前記ＣＰサーバーから前記音源コードを受信する段階；および
前記付加サービスを提供する第２ＭＣＰに、前記収集情報に含まれた発信者情報および前記音源コードを含む音源変更要求信号を伝送する段階；
を含むことを特徴とする、音源変更サービス提供方法。
【請求項３】
前記サービスＩＰサーバーは前記交換器（ＭＳＣ）内に搭載されることを特徴とする、請求項１または２に記載の音源変更サービス提供方法。
【請求項４】
前記サービスＩＰサーバーは前記サービス提供システム内に搭載されることを特徴とする、請求項１または２に記載の音源変更サービス提供方法。
【請求項５】
前記収集情報は、前記発信端末識別子と前記着信端末に相応する着信端末識別子を含む顧客情報、第１ＭＣＰに相応するＭＣＰ識別子（ＩＤ：Ｉｄｅｎｔｉｆｉｃａｔｉｏｎ）と一連番号を含む音源コード、および前記ＤＴＭＦショートカットキー情報を含むことを特徴とする、請求項１または２に記載の音源変更サービス提供方法。
【請求項６】
前記収集情報は前記サービス提供システムのデータベースに記憶され、先入先出（ＦＩＦＯ）方式で読み出されて、前記ＣＰサーバーまたは前記第１ＭＣＰに順次に伝送されることを特徴とする、請求項１または２に記載の音源変更サービス提供方法。
【請求項７】
前記ＣＰサーバーは少なくとも一つのＣＰ（Ｃｏｎｔｅｎｔｓ  Ｐｒｏｖｉｄｅｒ）およびＡＲＳシステムを含むサービス提供ＭＣＰ（Ｍａｓｔｅｒ  Ｃｏｎｔｅｎｔｓ  Ｐｒｏｖｉｄｅｒ）システムであることを特徴とする、請求項１または２に記載の音源変更サービス提供方法。
【請求項８】
前記付加サービス音源がリングバックトーン代替音源または通話連結音源であれば、前記第２ＭＣＰがＳＣＰに音源変更要請信号を伝送する段階をさらに含むことを特徴とする、請求項１または２に記載の音源変更サービス提供方法。
【請求項９】
前記付加サービス音源に対する変更結果を短文メッセージサービスセンター（ＳＭＳＣ）の短文メッセージを通じて前記発信端末に知らせる段階をさらに含むことを特徴とする、請求項１または２に記載の音源変更サービス提供方法。
【請求項１０】
前記発信端末が前記短文メッセージに含まれたＡＲＳサーバーのコールバック番号またはＷＥＢ／ＷＡＰ（ＭＥ）サーバーのコールバックＵＲＬを利用して前記ＡＲＳサーバーまたは前記ＷＥＢ／ＷＡＰ（ＭＥ）サーバーに接続する段階をさらに含むことを特徴とする、請求項９に記載の音源変更サービス提供方法。
【請求項１１】
移動通信網を通じて少なくとも一つの発信端末および少なくとも一つの着信端末を管理する少なくとも一つの交換器（ＭＳＣ）、少なくとも一つのサービスＩＰサーバー、および少なくとも一つのコンテンツ提供者（ＣＰ）サーバーとそれぞれ結合して相互に連動する複数のサービス提供システムで、音源変更サービス−電話発信中に着信者のリングバックトーン代替音源を利用して発信者の少なくとも一つの付加サービスの音源を変更するサービス−を提供する方法において、
前記発信端末の電話発信中に着信端末加入者が加入した第１通信事業者網内の第１サービスＩＰサーバーを通じて前記発信端末からのＤＴＭＦショートカットキー信号を検出する段階；
前記ＤＴＭＦショートカットキー信号に応じて前記第１通信事業者網内の第１サービス提供システムが前記第１サービスＩＰサーバーから収集情報を受信する段階；
前記収集情報を予め決められた方式によって加工する段階；
前記加工された情報によって前記着信者のリングバックトーン代替音を提供する第１ＭＣＰに前記収集情報に含まれたリングバックトーン代替音コードを伝送する段階；
前記第１ＭＣＰから前記リングバックトーン代替音コードに相応する第１音源情報を受信する段階；
前記第１サービス提供システムが、発信端末加入者が加入した第２通信事業者網内の第２サービス提供システムに前記第１音源情報を伝送する段階；
前記第１音源情報を前記第２通信事業者網内のＣＰサーバーに伝送する段階−ここで、前記ＣＰサーバーは前記発信者の付加サービスに対する複数の音源コード情報および前記複数の音源コード情報にそれぞれ相応する複数の歌手名と曲名情報が相互に参照できるように作成されたマッピングテーブルを利用して前記第１音源情報に相応する前記付加サービスの音源コードを抽出する−；
前記ＣＰサーバーから前記音源コードを受信する段階；および
前記第２通信事業者網内で前記付加サービスを提供する第２ＭＣＰに、前記収集情報に含まれた発信者情報および前記音源コードを含む音源変更要求信号を伝送する段階；
を含むことを特徴とする、音源変更サービス提供方法。
【請求項１２】
前記第２サービス提供システムが前記第１ＭＣＰと連動する前記第２通信事業者網内の第３ＭＣＰに前記発信者情報および前記第１音源情報を伝送する段階；
前記第３ＭＣＰから、前記第１音源情報に相応し前記第２通信事業者網内で利用可能な第２音源情報を受信する段階；および
前記第２音源情報に相応する前記音源コードを得るために、前記第２音源情報を前記ＣＰサーバーに伝送する段階；をさらに含むことを特徴とする、請求項１１に記載の音源変更サービス提供方法。
【請求項１３】
移動通信網を通じて少なくとも一つの発信端末および少なくとも一つの着信端末を管理する交換器（ＭＳＣ）、サービスＩＰサーバー、コンテンツ提供者（ＣＰ）サーバー、および自動応答サービス（ＡＲＳ）サーバーと結合するサービス提供システムで、音源変更サービス−電話発信中に発信者のリングバックトーン代替音源を利用して着信者の少なくとも一つの付加サービスの音源を変更するサービス−を提供する方法において、
前記発信端末の電話発信中に前記サービスＩＰサーバーを通じて前記発信端末からのＤＴＭＦショートカットキー信号を検出する段階；
前記ＤＴＭＦショートカットキー信号に応じて前記サービスＩＰサーバーから収集情報を受信する段階；
前記収集情報を予め決められた方式によって加工する段階；
前記加工された情報によって前記発信者のリングバックトーン代替音を提供する第１ＭＣＰに前記収集情報に含まれた発信者情報を伝送する段階；
前記第１ＭＣＰから前記発信者情報に相応する前記リングバックトーン代替音の音源情報を受信する段階；
前記音源情報を前記ＣＰサーバーに伝送する段階−ここで、前記ＣＰサーバーは少なくとも前記第１ＭＣＰおよび前記着信者の付加サービスを提供する第２ＭＣＰの複数の音源コードと前記複数の音源コードにそれぞれ相応する複数の歌手名および曲名が相互に参照できるように作成されたマッピングテーブルを利用して前記音源情報に相応する前記付加サービスの音源コードを抽出する−；
前記ＣＰサーバーから前記音源コードを受信する段階；
前記第２ＭＣＰに前記収集情報に含まれた着信者情報および前記音源コードを伝送する段階；および
短文メッセージサービスセンター（ＳＭＳＣ）を通じて前記着信端末に短文メッセージを伝送する段階−ここで、短文メッセージは前記付加サービスの音源設定を要請する内容と前記ＡＲＳサーバーのコールバック番号またはＷＥＢ／ＷＡＰ（ＭＥ）サーバーのコールバックＵＲＬを含む−；
を含み、
前記第２ＭＣＰは、前記ＡＲＳサーバーまたは前記ＷＥＢ／ＷＡＰ（ＭＥ）サーバーと連動して、前記着信端末の音源変更要求信号によって前記音源コードを前記付加サービスの音源に設定することを特徴とする、音源変更サービス提供方法。
【請求項１４】
移動通信網を通じて少なくとも一つの発信端末および少なくとも一つの着信端末を管理する交換器（ＭＳＣ）、サービスＩＰサーバー、コンテンツ提供者（ＣＰ）サーバー、および自動応答サービス（ＡＲＳ）サーバーと結合するサービス提供システムで、音源変更サービス−電話発信中に発信者のタイトル曲の音源を利用して着信者の少なくとも一つの付加サービスの音源を変更するサービス−を提供する方法において、
前記発信端末の電話発信中に前記サービスＩＰサーバーを通じて前記発信端末からのＤＴＭＦショートカットキー信号を検出する段階；
前記ＤＴＭＦショートカットキー信号に応じて前記サービスＩＰサーバーから収集情報を受信する段階；
前記収集情報を予め決められた方式によって加工する段階；
前記加工された情報によって前記ＣＰサーバーに前記タイトル曲に対する音源コード要求信号を伝送する段階；
前記ＣＰサーバーから前記音源コードを受信する段階；
前記着信者の付加サービスを提供するＭＣＰに前記収集情報に含まれた着信者情報および前記音源コードを伝送する段階；および
短文メッセージサービスセンター（ＳＭＳＣ）を通じて前記着信端末に短文メッセージを伝送する段階−ここで、短文メッセージは前記付加サービスの音源設定を要請する内容と前記ＡＲＳサーバーのコールバック番号またはＷＥＢ／ＷＡＰ（ＭＥ）サーバーのコールバックＵＲＬを含む−；
を含み、
前記ＭＣＰは、前記ＡＲＳサーバーまたは前記ＷＥＢ／ＷＡＰ（ＭＥ）サーバーと連動して、前記着信端末の音源変更要求信号によって前記音源コードを前記付加サービスの音源に設定することを特徴とする、音源変更サービス提供方法。
【請求項１５】
前記着信者に対するサービス加入要求信号を顧客管理サーバーに伝送する段階をさらに含むことを特徴とする、請求項１３または１４に記載の音源変更サービス提供方法。
【請求項１６】
前記付加サービス音源がリングバックトーン代替音音源または通話連結音源であれば、前記ＡＲＳサーバーが前記ＣＰサーバーまたは前記第１ＭＣＰを通じてＳＣＰに音源変更要求信号を伝送する段階をさらに含むことを特徴とする、請求項１３または１４に記載の音源変更サービス提供方法。
【請求項１７】
前記付加サービスは、リングバックトーン代替音サービス、ベル音サービス、通話背景音サービス、カラオケサービス、音楽メールサービス、モーニングコールサービス、ＭＯＤ（Ｍｕｓｉｃ  Ｏｎ  Ｄｅｍａｎｄ）サービス、およびＶＯＤ（Ｖｉｄｅｏ  Ｏｎ  Ｄｅｍａｎｄ）サービスの中で少なくとも一つのサービスを含むことを特徴とする、請求項１４に記載の音源変更サービス提供方法。
【請求項１８】
移動通信網を通じて少なくとも一つの発信端末および少なくとも一つの着信端末を管理する少なくとも一つの交換器（ＭＳＣ）、サービスＩＰサーバー、コンテンツ提供者（ＣＰ）サーバー、および自動応答サービス（ＡＲＳ）サーバーとそれぞれ結合する複数のサービス提供システムで、音源変更サービス−電話発信中に発信者の特定音源を利用して着信者の少なくとも一つの付加サービスの音源を変更するサービス−を提供する方法において、
前記発信端末の電話発信中に発信端末加入者が加入した第１通信事業者網内の第１サービスＩＰサーバーを通じて前記発信端末からのＤＴＭＦショートカットキー信号を検出する段階；
前記ＤＴＭＦショートカットキー信号に応じて前記第１通信事業者網内の第１サービス提供システムが前記第１サービスＩＰサーバーから収集情報を受信する段階；
前記収集情報を予め決められた方式によって加工する段階；
前記加工された情報によって前記特定音源を提供する前記第１通信事業者網内の第１ＣＰサーバーに発信者情報を伝送する段階；
前記第１ＣＰサーバーから前記発信者情報に相応する前記特定音源の音源情報を受信する段階；
前記第１サービス提供システムが、着信端末加入者が加入した第２通信事業者網内の第２サービス提供システムに前記音源情報を伝送する段階；
前記音源情報を前記第２通信事業者網内の第２ＣＰサーバーに伝送する段階−ここで、前記第２ＣＰサーバーは前記付加サービスに対する複数の音源コード情報および前記複数の音源コード情報にそれぞれ相応する複数の歌手名と曲名情報が相互に参照できるように作成されたマッピングテーブルを利用して前記音源情報に相応する前記付加サービスの音源コードを抽出する−；
前記第２ＣＰサーバーから前記音源コードを受信する段階；
前記第２通信事業者網内で前記付加サービスを提供する第２ＭＣＰに前記収集情報に含まれた着信者情報および前記音源コードを含む音源変更要求信号を伝送する段階；および
短文メッセージサービスセンター（ＳＭＳＣ）を通じて前記着信端末に短文メッセージを伝送する段階−ここで、短文メッセージは前記付加サービスの音源設定を要請する内容と前記ＡＲＳサーバーのコールバック番号またはＷＥＢ／ＷＡＰ（ＭＥ）サーバーのコールバックＵＲＬを含む−；
を含み、
前記第２ＭＣＰは、前記ＡＲＳサーバーまたは前記ＷＥＢ／ＷＡＰ（ＭＥ）サーバーと連動して、前記着信端末の音源変更要求信号によって前記音源コードを前記付加サービスの音源に設定することを特徴とする、音源変更サービス提供方法。
【請求項１９】
前記第２ＣＰサーバーは前記第２ＭＣＰを含むことを特徴とする、請求項１８に記載の音源変更サービス提供方法。
【請求項２０】
移動通信網を通じて少なくとも一つの発信端末および少なくとも一つの着信端末を管理する交換器（ＭＳＣ）、サービスＩＰサーバー、およびコンテンツ提供者（ＣＰ）サーバーと結合して音源変更サービス−電話発信中に着信者のリングバックトーン代替音源を利用して発信者の少なくとも一つの付加サービスの音源を変更するサービスおよび電話発信中に発信者の特定音源を利用して着信者の少なくとも一つの付加サービスの音源を変更するサービス−を提供するサービス提供装置において、
少なくとも一つのサービスＩＰサーバーに結合されるＩＰインターフェース；
ＣＰサーバーに結合されるＣＰサーバーインターフェース；
ＳＭＳＣに結合されるＳＭＳＣインターフェース；
ＩＤＲに結合されるＩＤＲインターフェース；
ＷＡＰ／ＭＥプッシュサーバーに結合されるＷＡＰ／ＭＥプッシュサーバーインターフェース；
ＷＡＰ／ＭＥゲートウェイに結合されるＷｅｂインターフェース；
網管理システム（ＮＭＳ）に結合される簡易網管理プロトコルエージェント（ＳＮＭＰ  Ａｇｅｎｔ：Ｓｉｍｐｌｅ  Ｎｅｔｗｏｒｋ  Ｍａｎａｇｅｍｅｎｔ  Ｐｒｏｔｏｃｏｌ  Ａｇｅｎｔ）；
前記サービス提供装置内の作業を管理する作業管理者（Ｔａｓｋ  Ｍａｎａｇｅｒ）；
前記作業管理者に結合されるデータベース；
前記データベースに結合される共通ゲートウェイインターフェース（ＣＧＩ：Ｃｏｍｍｏｎ  Ｇａｔｅｗａｙ  Ｉｎｔｅｒｆａｃｅ）；および
装置の可用性を高める高可用性モジュール（Ｈｉｇｈ  Ａｖａｉｌａｂｉｌｉｔｙ  Ｍｏｄｕｌｅ）；
を含むことを特徴とする、音源変更サービス提供装置。
【請求項２１】
前記少なくとも一つの付加サービスを提供する少なくとも一つのＭＣＰ（Ｍａｓｔｅｒ  Ｃｏｎｔｅｎｔｓ  Ｐｒｏｖｉｄｅｒ）に結合されるＭＣＰサーバーインターフェースをさらに含むことを特徴とする、請求項２０に記載の音源変更サービス提供装置。
【請求項２２】
移動通信網を通じて少なくとも一つの発信端末および少なくとも一つの着信端末を管理する交換器（ＭＳＣ）、サービスＩＰサーバー、およびコンテンツ提供者（ＣＰ）サーバーに結合されて、音源変更サービス−電話発信中に着信者のリングバックトーン代替音源を利用して発信者の少なくとも一つの付加サービスの音源を変更するサービスおよび電話発信中に発信者の特定音源を利用して着信者の少なくとも一つの付加サービスの音源を変更するサービス−を提供するサービス提供装置において、
前記発信端末の電話発信中に前記サービスＩＰサーバーを通じて前記発信端末からのＤＴＭＦショートカットキー信号を検出するＤＴＭＦ信号検出部；
前記サービスＩＰサーバーから受信した収集情報を予め決められた方式によって加工する収集情報処理部；
前記ＤＴＭＦショートカットキー信号に応じて前記サービスＩＰサーバーから収集情報を受信し、前記収集情報処理部によって加工された情報に基づいて前記第１付加サービスを提供する第１ＭＣＰに前記第１付加サービスに対する音源情報を要請する音源情報要求信号を伝送し、前記第１ＭＣＰから前記音源情報を受信し、前記音源情報を前記ＣＰサーバーに伝送し、前記ＣＰサーバーから前記音源コードを受信し、前記第２付加サービスを提供する第２ＭＣＰに音源変更要求信号を伝送するデータ送受信部；および
前記加工された情報をデータベースに記憶し、前記加工された情報を先入先出（ＦＩＦＯ）方式で読み出して前記第１ＭＣＰに順次に伝送し、前記ＤＴＭＦ信号検出部、前記収集情報処理部および前記データ送受信部を制御する制御部；
を含むことを特徴とする、音源変更サービス提供装置。
【請求項２３】
移動通信網を通じて少なくとも一つの発信端末および少なくとも一つの着信端末を管理する交換器（ＭＳＣ）、サービスＩＰサーバー、およびコンテンツ提供者（ＣＰ）サーバーに結合されて、音源変更サービス−電話発信中に着信者のリングバックトーン代替音源を利用して発信者の少なくとも一つの付加サービスの音源を変更するサービス−を提供するサービス提供システムにおいて、
プログラムが記憶されているメモリ；および
前記メモリに結合されて前記プログラムを実行するプロセッサ；を含み、
前記プロセッサは、前記プログラムによって、
前記発信端末の電話発信中に前記サービスＩＰサーバーを通じて前記発信端末からのＤＴＭＦショートカットキー信号を検出し、前記ＤＴＭＦショートカットキー信号に応じて前記サービスＩＰサーバーから収集情報を受信し、前記収集情報を予め決められた方式によって加工し、前記加工された情報によって前記収集情報に含まれたリングバックトーン代替音コードを前記ＣＰサーバーに伝送し−ここで、前記ＣＰサーバーは少なくとも前記着信者のリングバックトーン代替音を提供する第１ＭＣＰおよび前記発信者の付加サービスを提供する第２ＭＣＰの複数の音源コードと前記複数の音源コードにそれぞれ相応する複数の歌手名および曲名が相互に参照できるように作成されたマッピングテーブルを利用して前記リングバックトーン代替音コードに相応する前記付加サービスの音源コードを抽出する−、前記ＣＰサーバーから前記音源コードを受信し、前記第２ＭＣＰに前記収集情報に含まれた発信者情報および前記音源コードを含む音源変更要求信号を伝送することを特徴とする、音源変更サービス提供システム。
【請求項２４】
移動通信網を通じて少なくとも一つの発信端末および少なくとも一つの着信端末を管理する交換器（ＭＳＣ）、サービスＩＰサーバー、およびコンテンツ提供者（ＣＰ）サーバーに結合されて、音源変更サービス−電話発信中に着信者のリングバックトーン代替音源を利用して発信者の少なくとも一つの付加サービスの音源を変更するサービス−を提供するサービス提供システムにおいて、
プログラムが記憶されているメモリ；および
前記メモリに結合されて前記プログラムを実行するプロセッサ；を含み、
前記プロセッサは、前記プログラムによって、
前記発信端末の電話発信中に前記サービスＩＰサーバーを通じて前記発信端末からのＤＴＭＦショートカットキー信号を検出し、前記ＤＴＭＦショートカットキー信号に応じて前記サービスＩＰサーバーから収集情報を受信し、前記収集情報内のＤＴＭＦショートカットキー情報を加工し、前記加工された情報によって着信者のリングバックトーン代替音を提供する第１ＭＣＰに前記収集情報に含まれたリングバックトーン代替音コードを伝送し、前記第１ＭＣＰから前記リングバックトーン代替音コードに相応する音源情報を受信し、前記ＣＰサーバーに前記音源情報を伝送し−ここで、前記ＣＰサーバーは前記少なくとも一つの付加サービスの音源コード情報および前記音源コード情報に相応する歌手名と曲名情報が相互に参照できるように作成されたマッピングテーブルを利用して前記音源情報に相応する前記付加サービスの音源コードを抽出する−、前記ＣＰサーバーから前記音源コードを受信し、前記付加サービスを提供する第２ＭＣＰに前記収集情報に含まれた発信者情報および前記音源コードを含む音源変更要求信号を伝送することを特徴とする、音源変更サービス提供システム。
【請求項２５】
移動通信網を通じて少なくとも一つの発信端末および少なくとも一つの着信端末を管理する少なくとも一つの交換器（ＭＳＣ）、サービスＩＰサーバー、およびコンテンツ提供者（ＣＰ）サーバーとそれぞれ結合して、音源変更サービス−電話発信中に着信者のリングバックトーン代替音源を利用して発信者の少なくとも一つの付加サービスの音源を変更するサービス−を提供するサービス提供システムにおいて、
プログラムが記憶されているメモリ；および
前記メモリに結合されて前記プログラムを実行するプロセッサ；を含み、
前記プロセッサは、前記プログラムによって、
前記発信端末の電話発信中に着信端末加入者が加入した第１通信事業者網内の第１サービスＩＰサーバーを通じて前記発信端末からのＤＴＭＦショートカットキー信号を検出し、前記ＤＴＭＦショートカットキー信号に応じて前記第１通信事業者網内の第１サービス提供システムが前記第１サービスＩＰサーバーから収集情報を受信し、前記収集情報を予め決められた方式によって加工し、前記加工された情報によって前記着信者のリングバックトーン代替音を提供する第１ＭＣＰに前記収集情報に含まれたリングバックトーン代替音コードを伝送し、前記第１ＭＣＰから前記リングバックトーン代替音コードに相応する音源情報を受信し、前記第１サービス提供システムが発信端末加入者が加入した第２通信事業者網内の第２サービス提供システムに前記音源情報を伝送し、前記第２サービス提供システムが前記音源情報を前記第２通信事業者網内のＣＰサーバーに伝送し−ここで、前記ＣＰサーバーは前記発信者の付加サービスに対する複数の音源コード情報および前記複数の音源コード情報にそれぞれ相応する複数の歌手名と曲名情報が相互に参照できるように作成されたマッピングテーブルを利用して前記音源情報に相応する前記付加サービスの音源コードを抽出する−、前記ＣＰサーバーから前記音源コードを受信し、前記第２通信事業者網内で前記付加サービスを提供する第２ＭＣＰに前記収集情報に含まれた発信者情報および前記音源コードを含む音源変更要求信号を伝送することを特徴とする、音源変更サービス提供システム。
【請求項２６】
移動通信網を通じて少なくとも一つの発信端末および少なくとも一つの着信端末を管理する交換器（ＭＳＣ）、サービスＩＰサーバー、コンテンツ提供者（ＣＰ）サーバー、および自動応答サービス（ＡＲＳ）サーバーと結合して音源変更サービス−電話発信中に発信者の特定音源を利用して着信者の少なくとも一つの付加サービスの音源を変更するサービス−を提供するサービス提供システムにおいて、
プログラムが記憶されているメモリ；および
前記メモリに結合されて前記プログラムを実行するプロセッサ；を含み、
前記プロセッサは、前記プログラムによって、
前記発信端末の電話発信中に前記サービスＩＰサーバーを通じて前記発信端末からのＤＴＭＦショートカットキー信号を検出し、前記ＤＴＭＦショートカットキー信号に応じて前記サービスＩＰサーバーから収集情報を受信し、前記収集情報を予め決められた方式によって加工し、前記加工された情報によって前記ＣＰサーバーに前記タイトル曲に対する音源コード要求信号を伝送し、前記ＣＰサーバーから前記音源コードを受信し、前記着信者の付加サービスを提供するＭＣＰに前記収集情報に含まれた着信者情報および前記音源コードを伝送し、短文メッセージサービスセンター（ＳＭＳＣ）を通じて前記着信端末に短文メッセージを伝送し−ここで、前記短文メッセージは前記付加サービスの音源設定を要請する内容と前記ＡＲＳサーバーのコールバック番号またはＷＥＢ／ＷＡＰ（ＭＥ）サーバーのコールバックＵＲＬを含む−、前記ＭＣＰは、前記ＡＲＳサーバーまたは前記ＷＥＢ／ＷＡＰ（ＭＥ）サーバーと連動して、前記着信端末の音源変更要求信号によって前記音源コードを前記付加サービスの音源に設定することを特徴とする、音源変更サービス提供システム。
【請求項２７】
移動通信網を通じて少なくとも一つの発信端末および少なくとも一つの着信端末を管理する交換器（ＭＳＣ）、サービスＩＰサーバー、コンテンツ提供者（ＣＰ）サーバー、および自動応答サービス（ＡＲＳ）サーバーと結合して音源変更サービス−電話発信中に発信者の特定音源を利用して着信者の少なくとも一つの付加サービスの音源を変更するサービス−を提供するサービス提供システムにおいて、
プログラムが記憶されているメモリ；および
前記メモリに結合されて前記プログラムを実行するプロセッサ；を含み、
前記プロセッサは、前記プログラムによって、
前記発信端末の電話発信中に前記サービスＩＰサーバーを通じて前記発信端末からのＤＴＭＦショートカットキー信号を検出し、前記ＤＴＭＦショートカットキー信号に応じて前記サービスＩＰサーバーから収集情報を受信し、前記収集情報を予め決められた方式によって加工し、前記加工された情報によって前記リングバックトーン代替音を提供する第１ＭＣＰに前記収集情報に含まれた発信者情報を伝送し、前記第１ＭＣＰから前記発信者情報に相応する前記リングバックトーン代替音源情報を受信し、前記音源情報を前記ＣＰサーバーに伝送し−ここで、前記ＣＰサーバーは少なくとも前記第１ＭＣＰおよび前記着信者の付加サービスを提供する第２ＭＣＰの複数の音源コードと前記複数の音源コードにそれぞれ相応する複数の歌手名および曲名が相互に参照できるように作成されたマッピングテーブルを利用して前記音源情報に相応する前記付加サービスの音源コードを抽出する−、前記ＣＰサーバーから前記音源コードを受信し、前記第２ＭＣＰに前記収集情報に含まれた着信者情報および前記音源コードを伝送し、短文メッセージサービスセンター（ＳＭＳＣ）を通じて前記着信端末に短文メッセージを伝送し−ここで、前記短文メッセージは前記付加サービスの音源設定を要請する内容と前記ＡＲＳサーバーのコールバック番号またはＷＥＢ／ＷＡＰ（ＭＥ）サーバーのコールバックＵＲＬを含む−、前記第２ＭＣＰは、前記ＡＲＳサーバーまたは前記ＷＥＢ／ＷＡＰ（ＭＥ）サーバーと連動して、前記着信端末の音源変更要求申号によって前記音源コードを前記付加サービスの音源に設定することを特徴とする、音源変更サービス提供システム。
【請求項２８】
移動通信網を通じて少なくとも一つの発信端末および少なくとも一つの着信端末を管理する少なくとも一つの交換器（ＭＳＣ）、サービスＩＰサーバー、コンテンツ提供者（ＣＰ）サーバー、および自動応答サービス（ＡＲＳ）サーバーとそれぞれ結合して音源変更サービス−電話発信中に発信者の特定音源を利用して着信者の少なくとも一つの付加サービスの音源を変更するサービス−を提供するサービス提供システムにおいて、
プログラムが記憶されているメモリ；および
前記メモリに結合されて前記プログラムを実行するプロセッサ；を含み、
前記プロセッサは、前記プログラムによって、
前記発信端末の電話発信中に発信端末加入者が加入した第１通信事業者網内の第１サービスＩＰサーバーを通じて前記発信端末からのＤＴＭＦショートカットキー信号を検出し、前記ＤＴＭＦショートカットキー信号に応じて前記第１通信事業者網内の第１サービス提供システムが前記第１サービスＩＰサーバーから収集情報を受信し、前記収集情報を予め決められた方式によって加工し、前記加工された情報によって前記特定音源を提供する前記第１通信事業者網内の第１ＣＰサーバーに発信者情報を伝送し、前記第１ＣＰサーバーから前記発信者情報に相応する前記特定音源の音源情報を受信し、前記第１サービス提供システムが着信端末加入者が加入した第２通信事業者網内の第２サービス提供システムに前記音源情報を伝送し、前記第２サービス提供システムが前記音源情報を前記第２通信事業者網内の第２ＣＰサーバーに伝送し−ここで、前記第２ＣＰサーバーは前記付加サービスに対する複数の音源コード情報および前記複数の音源コード情報にそれぞれ相応する複数の歌手名と曲名情報が相互に参照できるように作成されたマッピングテーブルを利用して前記音源情報に相応する前記付加サービスの音源コードを抽出する−、前記第２ＣＰサーバーから前記音源コードを受信し、前記第２通信事業者網内で前記付加サービスを提供する第２ＭＣＰに前記収集情報に含まれた着信者情報および前記音源コードを含む音源変更要求信号を伝送し、短文メッセージサービスセンター（ＳＭＳＣ）を通じて前記着信端末に短文メッセージを伝送し−ここで、前記短文メッセージは前記付加サービスの音源設定を要請する内容と前記ＡＲＳサーバーのコールバック番号またはＷＥＢ／ＷＡＰ（ＭＥ）サーバーのコールバックＵＲＬを含む−、前記第２ＭＣＰは、前記ＡＲＳサーバーまたは前記ＷＥＢ／ＷＡＰ（ＭＥ）サーバーと連動して、前記着信端末の音源変更要求信号によって前記音源コードを前記付加サービスの音源に設定することを特徴とする、音源変更サービス提供システム。
【請求項２９】
移動通信網を通じて少なくとも一つの発信端末および少なくとも一つの着信端末を管理する交換器（ＭＳＣ）、サービスＩＰサーバー、およびコンテンツ提供者（ＣＰ）サーバーと結合するサービス提供システムで、音源プッシュサービス−電話発信中に前記発信端末に相応して設定された少なくとも一つの第１付加サービスの音源を前記着信端末に相応して設定された少なくとも一つの第２付加サービスの音源としてプッシュするサービス−を提供する方法において、
前記発信端末の電話発信中に前記サービスＩＰサーバーを通じて前記発信端末からのＤＴＭＦショートカットキー信号を検出する段階；
前記ＤＴＭＦショートカットキー信号に相応して前記サービスＩＰサーバーから収集情報を受信する段階；
前記収集情報を予め決められた方式によって加工する段階；
前記加工された情報に基づいて前記第１付加サービスを提供する第１ＭＣＰに前記第１付加サービスに対する音源情報を要請する音源情報要求信号を伝送する段階−ここで、前記音源情報要求信号は前記発信端末に相応する発信端末識別子を含む−；
前記第１ＭＣＰから前記音源情報を受信する段階；
前記音源情報を前記ＣＰサーバーに伝送する段階−ここで、前記ＣＰサーバーはマッピングテーブルを利用して前記音源情報に相応する音源コードを抽出する−；
前記ＣＰサーバーから前記音源コードを受信する段階；および
前記第２付加サービスを提供する第２ＭＣＰに前記収集情報に含まれた着信者情報および前記音源コードを含む音源変更要求信号を伝送する段階；
を含むことを特徴とする、音源プッシュサービス提供方法。
【請求項３０】
前記サービスＩＰサーバーは前記交換器（ＭＳＣ）内に搭載されることを特徴とする、請求項２９に記載の音源プッシュサービス提供方法。
【請求項３１】
前記サービスＩＰサーバーは前記サービス提供システム内に搭載されることを特徴とする、請求項２９に記載の音源プッシュサービス提供方法。
【請求項３２】
前記ＣＰサーバー、前記第１ＭＣＰ、および前記第２ＭＣＰは一つのＣＰ（Ｃｏｎｔｅｎｔｓ  Ｐｒｏｖｉｄｅｒ）に含まれることを特徴とする、請求項２９に記載の音源プッシュサービス提供方法。
【請求項３３】
前記第１ＭＣＰおよび前記第２ＭＣＰは一つのＭＣＰ（Ｍａｓｔｅｒ  Ｃｏｎｔｅｎｔｓ  Ｐｒｏｖｉｄｅｒ）であることを特徴とする、請求項２９に記載の音源プッシュサービス提供方法。
【請求項３４】
前記収集情報は、前記発信端末に相応する発信者情報と前記着信端末に相応する着信者情報を含む顧客情報、前記付加サービスを提供するコンテンツ提供者（ＣＰ／ＭＣＰ）の識別子と一連番号を含む音源コード、および前記ＤＴＭＦショートカットキー情報を含むことを特徴とする、請求項２９に記載の音源プッシュサービス提供方法。
【請求項３５】
前記加工された情報は前記サービス提供システムのデータベースに記憶され、先入先出（ＦＩＦＯ）方式で読み出されて、前記第１ＭＣＰに順次伝送されることを特徴とする、請求項２９に記載の音源プッシュサービス提供方法。
【請求項３６】
前記音源情報は歌手名および曲名を含むことを特徴とする、請求項２９に記載の音源プッシュサービス提供方法。
【請求項３７】
前記マッピングテーブルは、前記第１ＭＣＰおよび前記第２ＭＣＰからそれぞれ提供する付加サービスの複数の音源コードおよび前記複数の音源コードにそれぞれ相応する複数の歌手名と曲名が相互に参照できるように作成されたデータベースを含むことを特徴とする、請求項２９に記載の音源プッシュサービス提供方法。
【請求項３８】
前記第２付加サービスがリングバックトーン代替音サービスまたは通話連結音サービスであれば、前記第２ＭＣＰがサービス制御器（ＳＣＰ）に前記音源変更要求信号を伝送する段階をさらに含むことを特徴とする、請求項２９に記載の音源プッシュサービス提供方法。
【請求項３９】
前記着信端末に前記第２付加サービスの音源変更を知らせる段階をさらに含むことを特徴とする、請求項２９に記載の音源プッシュサービス提供方法。
【請求項４０】
前記第２付加サービスの音源変更に対する通報は、短文メッセージサービスセンター（ＳＭＳＣ）の短文メッセージサービス（ＳＭＳ）を用いることを特徴とする、請求項３９に記載の音源プッシュサービス提供方法。
【請求項４１】
前記着信端末に伝送される前記ＳＭＳの短文メッセージはＡＲＳサーバーのコールバック番号またはＷＥＢ／ＷＡＰ（ＭＥ）サーバーのコールバックＵＲＬを含むことを特徴とする、請求項４０に記載の音源プッシュサービス提供方法。
【請求項４２】
移動通信網を通じて少なくとも一つの発信端末および少なくとも一つの着信端末を管理する交換器（ＭＳＣ）、サービスＩＰサーバー、およびコンテンツ提供者（ＣＰ）サーバーとそれぞれ結合する複数のサービス提供システムで、音源プッシュサービス−電話発信中に前記発信端末に相応して設定された少なくとも一つの第１付加サービスの音源を前記着信端末に相応して設定された少なくとも一つの第２付加サービスの音源としてプッシュするサービス−を提供する方法において、
前記発信端末の電話発信中に前記発信端末が加入された第１通信事業者網内の第１サービスＩＰサーバーを通じて前記発信端末からのＤＴＭＦショートカットキー信号を検出する段階；
前記ＤＴＭＦショートカットキー信号に応じて前記第１通信事業者網内の第１サービス提供システムが前記第１サービスＩＰサーバーから収集情報を受信する段階；
前記収集情報を予め決められた方式によって加工する段階；
前記加工された情報に基づいて前記第１付加サービスを提供する第１ＭＣＰに前記第１付加サービスに対する第１音源情報を要請する第１音源情報要求信号を伝送する段階−ここで、前記第１音源情報要求信号は前記発信端末に相応する発信端末識別子を含む−；
前記第１ＭＣＰから前記第１音源情報を受信する段階；
前記第１サービス提供システムが前記着信端末が加入された第２通信事業者網内の第２サービス提供システムに前記第１音源情報を伝送する段階；
前記第２サービス提供システムが前記第１音源情報を前記第２通信事業者網内のＣＰサーバーに伝送する段階−ここで、前記ＣＰサーバーはマッピングテーブルを利用して前記第１音源情報に相応する音源コードを抽出する−；
前記ＣＰサーバーから前記音源コードを受信する段階；および
前記第２通信事業者網内で前記第２付加サービスを提供する第２ＭＣＰに前記収集情報に含まれた着信者情報および前記音源コードを含む音源変更要求信号を伝送する段階；
を含むことを特徴とする、音源プッシュサービス提供方法。
【請求項４３】
移動通信網を通じて少なくとも一つの発信端末および少なくとも一つの着信端末を管理する交換器（ＭＳＣ）、サービスＩＰサーバー、およびコンテンツ提供者（ＣＰ）サーバーと結合して音源プッシュサービス−電話発信中に前記発信端末に相応して設定された少なくとも一つの第１付加サービスの音源を前記着信端末に相応して設定された少なくとも一つの第２付加サービスの音源としてプッシュするサービス−を提供するサービス提供装置において、
少なくとも一つのサービスＩＰサーバーと結合するＩＰインターフェース、前記ＣＰサーバーと結合するＣＰサーバーインターフェース、ＳＭＳＣと結合するＳＭＳＣインターフェース、ＩＤＲと結合するＩＤＲインターフェース、ＷＡＰ／ＭＥプッシュサーバーと結合するＷＡＰ／ＭＥプッシュサーバーインターフェース、およびＷＡＰ／ＭＥゲートウェイと結合するＷｅｂインターフェースを含み、前記インターフェースの中で少なくとも一つを通じてデータを受信して伝送するデータ送受信部；
前記データ送受信部で受信したデータを処理する作業管理者（Ｔａｓｋ  Ｍａｎａｇｅｒ）を含む制御部；
前記作業管理者と結合されたデータベースおよび前記データベースに結合された共通ゲートウェイインターフェース（ＣＧＩ：Ｃｏｍｍｏｎ  Ｇａｔｅｗａｙ  Ｉｎｔｅｒｆａｃｅ）を含むデータベース処理部；および
ＳＭＳＣ（Ｓｈｏｒｔｍｅｓｓａｇｅ  Ｓｅｒｖｉｃｅ  Ｃｅｎｔｅｒ）連動部、ＩＤＲ（Ｉｎｔｅｒｎｅｔ  Ｄｅｔａｉｌ  Ｒｅｃｏｒｄｉｎｇ）連動部、ＮＭＳ（Ｎｅｔｗｏｒｋ  Ｍａｎａｇｅｍｅｎｔ  Ｓｙｓｔｅｍ）連動部、ＣＰサーバー連動部、ＭＣＰ連動部、および網管理システム（ＮＭＳ）と結合する簡易網管理プロトコルエージェント（ＳＮＭＰ  Ａｇｅｎｔ：Ｓｉｍｐｌｅ  Ｎｅｔｗｏｒｋ  Ｍａｎａｇｅｍｅｎｔ  Ｐｒｏｔｏｃｏｌ  Ａｇｅｎｔ）を含む網連動部；
を含むことを特徴とする、音源プッシュサービス提供装置。
【請求項４４】
前記第１ＭＣＰおよび前記第２ＭＣＰを含む少なくとも一つのＭＣＰと結合するＭＣＰサーバーインターフェースをさらに含むことを特徴とする、請求項４３に記載の音源プッシュサービス提供装置。
【請求項４５】
移動通信網を通じて少なくとも一つの発信端末および少なくとも一つの着信端末を管理する交換器（ＭＳＣ）、サービスＩＰサーバー、およびコンテンツ提供者（ＣＰ）サーバーと結合して音源プッシュサービス−電話発信中に前記発信端末に相応して設定された少なくとも一つの第１付加サービスの音源を前記着信端末に相応して設定された少なくとも一つの第２付加サービスの音源としてプッシュするサービス−を提供するサービス提供装置において、
前記発信端末の電話発信中に前記サービスＩＰサーバーを通じて前記発信端末からのＤＴＭＦショートカットキー信号を検出するＤＴＭＦ信号検出部；
前記サービスＩＰサーバーから受信した収集情報を予め決められた方式によって加工する収集情報処理部；
前記ＤＴＭＦショートカットキー信号に応じて前記サービスＩＰサーバーから収集情報を受信し、前記収集情報処理部によって加工された情報に基づいて前記第１付加サービスを提供する第１ＭＣＰに前記第１付加サービスに対する音源情報を要請する音源情報要求信号を伝送し、前記第１ＭＣＰから前記音源情報を受信し、前記音源情報を前記ＣＰサーバーに伝送し、前記ＣＰサーバーから前記音源コードを受信し、前記第２付加サービスを提供する第２ＭＣＰに音源変更要求信号を伝送するデータ送受信部；および
前記加工された情報をデータベースに記憶し、前記加工された情報を先入先出（ＦＩＦＯ）方式で読み出して前記第１ＭＣＰに順次伝送し、前記ＤＴＭＦ信号検出部、前記収集情報処理部、および前記データ送受信部を制御する制御部；
を含むことを特徴とする、音源プッシュサービス提供装置。
【請求項４６】
移動通信網を通じて少なくとも一つの発信端末および少なくとも一つの着信端末を管理する交換器（ＭＳＣ）、サービスＩＰサーバー、およびコンテンツ提供者（ＣＰ）サーバーと結合して音源プッシュサービス−電話発信中に前記発信端末に相応して設定された少なくとも一つの第１付加サービスの音源を前記着信端末に相応して設定された少なくとも一つの第２付加サービスの音源としてプッシュするサービス−を提供するサービス提供システムにおいて、
プログラムが記憶されているメモリ；および
前記メモリに結合されて前記プログラムを実行するプロセッサ；を含み、
前記プロセッサは、前記プログラムによって、
前記発信端末の電話発信中に前記サービスＩＰサーバーを通じて前記発信端末からのＤＴＭＦショートカットキー信号を検出し、前記ＤＴＭＦショートカットキー信号に応じて前記サービスＩＰサーバーから収集情報を受信し、前記収集情報を予め決められた方式によって加工し、前記加工された情報に基づいて前記第１付加サービスを提供する第１ＭＣＰに前記第１付加サービスに対する音源情報を要請する音源情報要求信号を伝送し−ここで、前記音源情報要求信号は前記発信端末に相応する発信端末識別子を含む−、前記第１ＭＣＰから前記音源情報を受信し、前記音源情報を前記ＣＰサーバーに伝送し−ここで、前記ＣＰサーバーはマッピングテーブルを利用して前記音源情報に相応する音源コードを抽出する−、前記ＣＰサーバーから前記音源コードを受信し、前記第２付加サービスを提供する第２ＭＣＰに前記収集情報に含まれた着信者情報および前記音源コードを含む音源変更要求信号を伝送することを特徴とする、音源プッシュサービス提供システム。
【請求項４７】
移動通信網を通じて少なくとも一つの発信端末および少なくとも一つの着信端末を管理する交換器（ＭＳＣ）、サービスＩＰサーバー、およびコンテンツ提供者（ＣＰ）サーバーとそれぞれ結合して音源プッシュサービス−電話発信中に前記発信端末に相応して設定された少なくとも一つの第１付加サービスの音源を前記着信端末に相応して設定された少なくとも一つの第２付加サービスの音源としてプッシュするサービス−を提供するサービス提供システムにおいて、
プログラムが記憶されているメモリ；および
前記メモリに結合されて前記プログラムを実行するプロセッサ；を含み、
前記プロセッサは、前記プログラムによって、
前記発信端末の電話発信中に前記発信端末が加入された第１通信事業者網内の第１サービスＩＰサーバーを通じて前記発信端末からのＤＴＭＦショートカットキー信号を検出し、前記ＤＴＭＦショートカットキー信号に応じて前記第１通信事業者網内の第１サービス提供システムが前記第１サービスＩＰサーバーから収集情報を受信し、前記収集情報を予め決められた方式によって加工し、前記加工された情報に基づいて前記第１付加サービスを提供する第１ＭＣＰに前記第１付加サービスに対する第１音源情報を要請する第１音源情報要求信号を伝送し−ここで、前記第１音源情報要求信号は前記発信端末に相応する発信端末識別子を含む−、前記第１ＭＣＰから前記第１音源情報を受信し、前記第１サービス提供システムが前記着信端末が加入された第２通信事業者網内の第２サービス提供システムに前記第１音源情報を伝送し、前記第２サービス提供システムが前記第１音源情報を前記第２通信事業者網内のＣＰサーバーに伝送し−ここで、前記ＣＰサーバーはマッピングテーブルを利用して前記第１音源情報に相応する音源コードを抽出する−、前記ＣＰサーバーから前記音源コードを受信し、前記第２通信事業者網内で前記第２付加サービスを提供する第２ＭＣＰに前記収集情報に含まれた着信者情報および前記音源コードを含む音源変更要求信号を伝送することを特徴とする、音源プッシュサービス提供システム。
【発明の詳細な説明】
【技術分野】
【０００１】
本発明は、電話発信中、ＤＴＭＦショートカットキーを用いて、着信者のリングバックトーン代替音を発信者のほかの付加サービスの音源に変更する方法、発信者のリングバックトーン代替音またはサービス音源（タイトル曲）を着信者の付加サービスの音源に変更する方法、電話発信中、リアルタイムで発信者のサービス音源を着信者のサービス音源としてプッシュする方法およびその装置に関するものである。
【背景技術】
【０００２】
一般に、リングバックトーン（ｒｉｎｇ  ｂａｃｋ  ｔｏｎｅ）は、一般電話交換網（ＰＳＴＮ）または移動通信網などにおいて、着信端末の加入者に呼び出し信号が送り出されていることを発信端末の加入者に知らせるために、交換器から発信端末の加入者に伝送する信号音を言う。最近、既存の単純な信号音を用いるリングバックトーンを取り替えるための多様な通話連結音サービスが開発されて利用されている。例えば、ＩＴＵ−Ｔの勧告事項にしたがって画一的に提供されるリングバックトーンを取り替えるリングバックトーン代替音を使用者が選択することができるツーリング、カラーリング、フィールリングなどのサービスが爆発的な人気を得ている。このようなリングバックトーン代替音サービスに対して具体的に説明すれば次のようである。
【０００３】
まず、発信端末がリングバックトーン代替音サービスに加入して、着信側交換器（ＭＳＣ）によって管理される着信端末に呼接続を要請すれば、発信側交換器（ＭＳＣ）はホーム位置登録機（ＨＬＲ）に着信位置情報を要請（Ｌｏｃａｔｉｏｎ  Ｒｅｑｕｅｓｔ）する。ＨＬＲは、発信側交換器からの着信位置情報要請に対して、着信側交換器にルーティング情報を要請（Ｒｏｕｔｉｎｇ  Ｒｅｑｕｅｓｔ）する。着信側交換器は、ＨＬＲから受信したルーティング情報要請信号に応答して、ルーティング情報（ＴＬＤＮ：Ｔｅｍｐｏｒａｒｙ  Ｌｏｃａｌ  Ｄｉｒｅｃｔｏｒｙ  Ｎｕｍｂｅｒ）をＨＬＲに伝送する。その後、ＨＬＲは受信したルーティング情報を利用して着信位置情報を発信側交換器に伝送する。
【０００４】
発信側交換器は、ルーティング情報に基づいて、着信側交換器にＩＳＵＰ（ＩＳＤＮ  Ｕｓｅｒ  Ｐａｒｔ）呼接続を要請する。着信側交換器は、発信側交換器から伝送されたＩＳＵＰ呼接続要請信号に応じて、記憶装置に予め記憶されたリングバックトーン代替音サービス設定情報を読み出した後、着信端末に相応する使用者がリングバックトーン代替音サービスに加入した場合、予め記憶された音源制御装置のルーティング情報を利用して、知能周辺装置（ＩＰ）としての音源制御装置にＩＳＵＰ呼接続要請信号を伝送する。この時、ＩＳＵＰ呼接続要請信号は着信端末識別子および発信端末識別子を含む。このような過程の実行結果、発信側交換器、着信側交換器および音源提供装置間に通話路が形成される。
【０００５】
音源提供装置は、受信した着信端末識別子および発信端末識別子に基づいて、サービス制御器（ＳＣＰ）としての音源提供制御サーバーに音源コードを要請する。音源提供制御サーバーは、音源コード要請信号に応答して、着信端末識別子または発信端末識別子に連結されて記憶された音源コードを検索した後、検索された音源コードを音源提供装置に伝送する。その後、音源提供装置は、音源提供制御サーバーから受信した音源コードに相応するリングバックトーン代替音を前記形成された通話路を通じて発信端末に伝送する。着信側交換器は、リングバックトーン代替音が発信端末に伝送される中に、着信端末が応答することを認識すれば、音源提供装置にＩＳＵＰ呼解除を要請する。音源提供装置は、着信側交換器からＩＳＵＰ呼解除要請信号を受信した後、発信端末に設定された通話路を解除する。その後、着信端末は、発信端末に設定された通話路を利用して正常な通話を実行する。
【０００６】
このように、従来のリングバックトーン代替音サービスは、着信端末加入者が前述したリングバックトーン代替音サービスを用いて、発信端末加入者に、自分が直接選択した、既存の画一的なリングバックトーンを取り替えるリングバックトーン代替音を聞かせることができる。このようなリングバックトーン代替音サービスが商業的な成功を成した理由は、個性を表出しようとする現代人の欲求をどの程度満たした点であろう。
【０００７】
しかし、従来のリングバックトーン代替音サービスは、加入者が該当音源を保有している通信事業者に加入されていると、その音源を変更することができる。このように、現在の様々な付加サービス、すなわちリングバックトーン代替音サービス、通話背景音サービス、ベル音サービス、カラオケサービス、音楽メールサービス、ＭＯＤ／ＶＯＤサービスなどは、加入者が該当音源を保有している通信事業者に加入されていなければその音源を変更することができないという限界がある。また、従来の付加サービスの音源を変更するためには、付加サービスを提供する通信事業者のホームページ、無線インターネットあるいはＡＲＳに接続しなければならなく、着信者の電話番号を入力しなければ音源変更ができないという不便さがある。
【０００８】
また、従来の付加サービスにおける音源変更方法は、例えば発信者が着信者のリングバックトーン代替音を聞き、その音源が気に入って、即時着信者のリングバックトーン代替音源を自分のリングバックトーン代替音源などの付加サービスの音源に設定することができなかった。そのうえ、従来の付加サービスにおける音源変更方法は、付加サービス加入者が付加サービスの音源をリアルタイムで変更することができないから、後で変更しようと思った事実あるいは着信者の電話番号を忘れて付加サービスの音源を変更することができない場合が発生するという欠点もある。
【０００９】
また、最近、電気、電子、通信分野の発展によって加入者携帯電話などの移動情報端末機に多様なチャンネルを通じて各種の情報を提供する通信サービスが大きく増加している。このような環境で、通信事業者は、通信サービスをよりおもしろくて個性あるように使おうとする加入者の要求に応じて、リングバックトーン代替音、通話背景音、ベル音、カラオケサービス、音楽メール、ＶＯＤ／ＭＯＤ（Ｖｉｄｅｏ／Ｍｕｓｉｃ  Ｏｎ  Ｄｅｍａｎｄ）などの付加サービスを加入者に提供している。現在、このような付加サービスは加入者から大きな呼応を得ている。
【００１０】
例えば、加入者は、電話発信中に単純なリングバックトーン（ｒｉｎｇ  ｂａｃｋ  ｔｏｎｅ）の代わりに発信者または着信者が設定した個性あるリングバックトーン代替音を聞きながら、退屈しないで通話路が設定されることを待つことができる。また、加入者は人気ある歌手の歌や人気ある効果音、人気あるコメント、古典音楽、自作の効果音などを自由に登録して、自分のベル音として使用することができる。また、加入者は所望歌や音楽などを通話背景音として選択して、通話中にこれを聞きながら相手と通話することができる。このように、従来の付加サービスは、加入者が自分の選択した付加サービス音源を利用して各種の通信サービスを非常に個性あっておもしろく利用するようにする。
【００１１】
しかし、従来の付加サービスは、加入者が該当音源を保有している通信事業者に加入されていなければその音源を変更することができない。すなわち、リングバックトーン代替音サービス、通話背景音サービス、ベル音変更サービス、音楽メールサービス、ＭＯＤ／ＶＯＤサービスなどの付加サービスは、加入者が該当音源を保有している通信事業者に加入されていなければその音源を変更することができないという限界がある。また、従来の付加サービスは、その音源を変更するために、加入者が付加サービスを提供する通信事業者のホームページ、無線インターネットあるいはＡＲＳに接続しなければならなく、着信者の電話番号を入力しなければ音源変更ができないという不便さがある。
【００１２】
また、従来の付加サービスにおいては、発信者が着信者のリングバックトーン代替音を聞き、その音源が気に入って、着信者のリングバックトーン代替音源を自分のリングバックトーン代替音サービスなどの付加サービスの音源に直ちに設定することができないという欠点がある。そのうえ、従来の付加サービスにおいては、加入者が気に入る音源を聞いてからも自分の付加サービス音源をリアルタイムで変更することができないから、後で変更しようと思った事実あるいは着信者の電話番号を忘れて、付加サービスの音源を加入者が必要時に容易に変更することができないという欠点もある。また、従来の付加サービスにおいては、発信者が着信者のリングバックトーン代替音を聞いている中に発信者のサービス音源をリアルタイムで直ちに着信者のサービス音源としてプッシュすることができない欠点がある。
【発明の開示】
【発明が解決しようとする課題】
【００１３】
本発明の目的は、有無線通信網でリングバックトーン代替音サービスの加入有無にかかわらず、発信者が、有無線電話機を利用して電話発信中に、ＤＴＭＦショートカットキーを用いてリアルタイムで、着信者が設定しておいたリングバックトーン代替音を自分の付加サービス音源に設定または変更するサービス方法および装置を提供することである。
【００１４】
本発明のほかの目的は、電話発信中に発信者が自分のリングバックトーン代替音または特定音源（タイトル曲）を着信者の付加サービス音源としてプレゼントすることができるサービス方法および装置を提供することである。
【００１５】
本発明のさらにほかの目的は、非加入着信者の場合、電話発信中にリアルタイムで発信端末加入者がプレゼントした音源を該当付加サービスの加入と同時に着信者自分の付加サービスの音源に設定することができるサービス方法および装置を提供することである。
本発明のさらにほかの目的は、有無線通信網で携帯電話および一般電話を利用して電話発信した後、発信者が聞くことになるほかの通信事業者のリングバックトーン代替音源を自分が加入した通信事業者内の付加サービスの音源として利用することができるサービス方法および装置を提供することである。
【００１６】
本発明のさらにほかの目的は、有無線通信網で発信者のリングバックトーン代替音サービス加入または通話背景音サービス加入有無に関係なく、発信者が有無線電話機を利用した電話発信中にＤＴＭＦショートカットキーを用いてリアルタイムで、自分が有無線インターネットおよびＡＲＳシステムを通じて設定しておいた付加サービス音源または事業者が提供する基本音源を着信者の付加サービス音源としてプッシュするサービス方法および装置を提供することである。
【００１７】
本発明のさらにほかの目的は、着信者がサービス非加入者の場合にも、リアルタイムで、該当サービス自動加入と同時に、発信者が送った音源を着信者自分の付加サービス音源に使用／設定するようになったサービス方法および装置を提供することである。
【００１８】
本発明のさらにほかの目的は、発信顧客が有無線インターネットまたはＡＲＳを通じて設定した自分のタイトル曲、リングバックトーン代替音または事業者が提供する基本音源を電話発信中にＤＴＭＦショートカットキーを用いて着信者のサービス音源に直ちに設定するサービスを提供することである。
【課題を解決するための手段】
【００１９】
前記目的を達成するため、本発明の一観点によれば、移動通信網を通じて少なくとも一つの発信端末および少なくとも一つの着信端末を管理する交換器（ＭＳＣ）、サービスＩＰサーバー、およびコンテンツ提供者（ＣＰ）サーバーと結合するサービス提供システムで、音源変更サービス−電話発信中に着信者のリングバックトーン代替音源を利用して発信者の少なくとも一つの付加サービスの音源を変更するサービス−を提供する方法において、前記発信端末の電話発信中に前記サービスＩＰサーバーを通じて前記発信端末からのＤＴＭＦショートカットキー信号を検出する段階；前記ＤＴＭＦショートカットキー信号に応じて前記サービスＩＰサーバーから収集情報を受信する段階；前記収集情報を予め決められた方式によって加工する段階；前記加工された情報によって、前記収集情報に含まれたリングバックトーン代替音コードを前記ＣＰサーバーに伝送する段階−ここで、前記ＣＰサーバーは少なくとも前記第１ＭＣＰおよび前記発信者の付加サービスを提供する第２ＭＣＰの複数の音源コードと前記複数の音源コードにそれぞれ相応する複数の歌手名および曲名が相互に参照できるように作成されたマッピングテーブルを利用して前記リングバックトーン代替音コードに相応する前記付加サービスの音源コードを抽出する−；前記ＣＰサーバーから前記音源コードを受信する段階；および前記第２ＭＣＰに、前記収集情報に含まれた発信者情報および前記音源コードを含む音源変更要求信号を伝送する段階；を含むことを特徴とする、音源変更サービス提供方法を提供する。
【００２０】
本発明のほかの観点によれば、移動通信網を通じて少なくとも一つの発信端末および少なくとも一つの着信端末を管理する交換器（ＭＳＣ）、サービスＩＰサーバー、およびコンテンツ提供者（ＣＰ）サーバーと結合するサービス提供システムで、音源変更サービス−電話発信中に着信者のリングバックトーン代替音源を利用して発信者の少なくとも一つの付加サービスの音源を変更するサービス−を提供する方法において、前記発信端末の電話発信中に前記サービスＩＰサーバーを通じて前記発信端末からのＤＴＭＦショートカットキー信号を検出する段階；前記ＤＴＭＦショートカットキー信号に応じて前記サービスＩＰサーバーから収集情報を受信する段階；前記収集情報内のＤＴＭＦショートカットキー情報を加工する段階；前記加工された情報によって着信者のリングバックトーン代替音を提供する第１ＭＣＰに前記収集情報に含まれたリングバックトーン代替音コードを伝送する段階；前記第１ＭＣＰから前記リングバックトーン代替音コードに相応する音源情報を受信する段階；前記ＣＰサーバーに前記音源情報を伝送する段階−ここで、前記ＣＰサーバーはマッピングテーブルを利用して前記音源情報に相応する前記付加サービスの音源コードを抽出する−；前記ＣＰサーバーから前記音源コードを受信する段階；および前記付加サービスを提供する第２ＭＣＰに、前記収集情報に含まれた発信者情報および前記音源コードを含む音源変更要求信号を伝送する段階；を含むことを特徴とする、音源変更サービス提供方法を提供する。
【００２１】
好ましい一実施例において、前記サービスＩＰサーバーは前記交換器（ＭＳＣ）内に搭載されることができる。また、前記サービスＩＰサーバーは前記サービス提供システム内に搭載されることができる。
【００２２】
また、前記収集情報は、前記発信端末識別子と前記着信端末に相応する着信端末識別子を含む顧客情報、第１ＭＣＰに相応するＭＣＰ識別子（ＩＤ：Ｉｄｅｎｔｉｆｉｃａｔｉｏｎ）と一連番号を含む音源コード、および前記ＤＴＭＦショートカットキー情報を含むことができる。
【００２３】
また、前記収集情報は前記サービス提供システムのデータベースに記憶され、先入先出（ＦＩＦＯ）方式で読み出されて、前記ＣＰサーバーまたは前記第１ＭＣＰに順次に伝送されることができる。
【００２４】
また、前記ＣＰサーバーは少なくとも一つのＣＰ（Ｃｏｎｔｅｎｔｓ  Ｐｒｏｖｉｄｅｒ）およびＡＲＳシステムを含むサービス提供ＭＣＰ（Ｍａｓｔｅｒ  Ｃｏｎｔｅｎｔｓ  Ｐｒｏｖｉｄｅｒ）システムであることが好ましい。
【００２５】
また、前記サービス提供方法は、前記付加サービス音源がリングバックトーン代替音源または通話連結音源であれば、前記第２ＭＣＰがＳＣＰに音源変更要請信号を伝送する段階をさらに含むことができる。
【００２６】
また、前記サービス提供方法は、前記付加サービス音源に対する変更結果を短文メッセージサービスセンター（ＳＭＳＣ）の短文メッセージを通じて前記発信端末に知らせる段階をさらに含むことができる。
【００２７】
また、前記発信端末が前記短文メッセージに含まれたＡＲＳサーバーのコールバック番号またはＷＥＢ／ＷＡＰ（ＭＥ）サーバーのコールバックＵＲＬを利用して前記ＡＲＳサーバーまたは前記ＷＥＢ／ＷＡＰ（ＭＥ）サーバーに接続する段階をさらに含むことができる。
【００２８】
本発明のさらにほかの観点によれば、移動通信網を通じて少なくとも一つの発信端末および少なくとも一つの着信端末を管理する少なくとも一つの交換器（ＭＳＣ）、少なくとも一つのサービスＩＰサーバー、および少なくとも一つのコンテンツ提供者（ＣＰ）サーバーとそれぞれ結合して相互に連動する複数のサービス提供システムで、音源変更サービス−電話発信中に着信者のリングバックトーン代替音源を利用して発信者の少なくとも一つの付加サービスの音源を変更するサービス−を提供する方法において、前記発信端末の電話発信中に着信端末加入者が加入した第１通信事業者網内の第１サービスＩＰサーバーを通じて前記発信端末からのＤＴＭＦショートカットキー信号を検出する段階；前記ＤＴＭＦショートカットキー信号に応じて前記第１通信事業者網内の第１サービス提供システムが前記第１サービスＩＰサーバーから収集情報を受信する段階；前記収集情報を予め決められた方式によって加工する段階；前記加工された情報によって前記着信者のリングバックトーン代替音を提供する第１ＭＣＰに前記収集情報に含まれたリングバックトーン代替音コードを伝送する段階；前記第１ＭＣＰから前記リングバックトーン代替音コードに相応する第１音源情報を受信する段階；前記第１サービス提供システムが、発信端末加入者が加入した第２通信事業者網内の第２サービス提供システムに前記第１音源情報を伝送する段階；前記第１音源情報を前記第２通信事業者網内のＣＰサーバーに伝送する段階−ここで、前記ＣＰサーバーは前記発信者の付加サービスに対する複数の音源コード情報および前記複数の音源コード情報にそれぞれ相応する複数の歌手名と曲名情報が相互に参照できるように作成されたマッピングテーブルを利用して前記第１音源情報に相応する前記付加サービスの音源コードを抽出する−；前記ＣＰサーバーから前記音源コードを受信する段階；および前記第２通信事業者網内で前記付加サービスを提供する第２ＭＣＰに、前記収集情報に含まれた発信者情報および前記音源コードを含む音源変更要求信号を伝送する段階；を含むことを特徴とする、音源変更サービス提供方法を提供する。
【００２９】
好ましい一実施例において、前記サービス提供方法は、前記第２サービス提供システムが前記第１ＭＣＰと連動する前記第２通信事業者網内の第３ＭＣＰに前記発信者情報および前記第１音源情報を伝送する段階；前記第３ＭＣＰから、前記第１音源情報に相応し前記第２通信事業者網内で利用可能な第２音源情報を受信する段階；および前記第２音源情報に相応する前記音源コードを得るために、前記第２音源情報を前記ＣＰサーバーに伝送する段階；をさらに含むことができる。
【００３０】
本発明のさらにほかの観点によれば、移動通信網を通じて少なくとも一つの発信端末および少なくとも一つの着信端末を管理する交換器（ＭＳＣ）、サービスＩＰサーバー、コンテンツ提供者（ＣＰ）サーバー、および自動応答サービス（ＡＲＳ）サーバーと結合するサービス提供システムで、音源変更サービス−電話発信中に発信者のリングバックトーン代替音源を利用して着信者の少なくとも一つの付加サービスの音源を変更するサービス−を提供する方法において、前記発信端末の電話発信中に前記サービスＩＰサーバーを通じて前記発信端末からのＤＴＭＦショートカットキー信号を検出する段階；前記ＤＴＭＦショートカットキー信号に応じて前記サービスＩＰサーバーから収集情報を受信する段階；前記収集情報を予め決められた方式によって加工する段階；前記加工された情報によって前記発信者のリングバックトーン代替音を提供する第１ＭＣＰに前記収集情報に含まれた発信者情報を伝送する段階；前記第１ＭＣＰから前記発信者情報に相応する前記リングバックトーン代替音源情報を受信する段階；前記音源情報を前記ＣＰサーバーに伝送する段階−ここで、前記ＣＰサーバーは少なくとも前記第１ＭＣＰおよび前記着信者の付加サービスを提供する第２ＭＣＰの複数の音源コードと前記複数の音源コードにそれぞれ相応する複数の歌手名および曲名が相互に参照できるように作成されたマッピングテーブルを利用して前記音源情報に相応する前記付加サービスの音源コードを抽出する−；前記ＣＰサーバーから前記音源コードを受信する段階；前記第２ＭＣＰに前記収集情報に含まれた着信者情報および前記音源コードを伝送する段階；および短文メッセージサービスセンター（ＳＭＳＣ）を通じて前記着信端末に短文メッセージを伝送する段階−ここで、短文メッセージは前記付加サービスの音源設定を要請する内容と前記ＡＲＳサーバーのコールバック番号またはＷＥＢ／ＷＡＰ（ＭＥ）サーバーのコールバックＵＲＬを含む−；を含み、前記第２ＭＣＰは、前記ＡＲＳサーバーまたは前記ＷＥＢ／ＷＡＰ（ＭＥ）サーバーと連動して、前記着信端末の音源変更要求信号によって前記音源コードを前記付加サービスの音源に設定することを特徴とする、音源変更サービス提供方法を提供する。
【００３１】
本発明のさらにほかの観点によれば、移動通信網を通じて少なくとも一つの発信端末および少なくとも一つの着信端末を管理する交換器（ＭＳＣ）、サービスＩＰサーバー、コンテンツ提供者（ＣＰ）サーバー、および自動応答サービス（ＡＲＳ）サーバーと結合するサービス提供システムで、音源変更サービス−電話発信中に発信者のタイトル曲の音源を利用して着信者の少なくとも一つの付加サービスの音源を変更するサービス−を提供する方法において、前記発信端末の電話発信中に前記サービスＩＰサーバーを通じて前記発信端末からのＤＴＭＦショートカットキー信号を検出する段階；前記ＤＴＭＦショートカットキー信号に応じて前記サービスＩＰサーバーから収集情報を受信する段階；前記収集情報を予め決められた方式によって加工する段階；前記加工された情報によって前記ＣＰサーバーに前記タイトル曲に対する音源コード要求信号を伝送する段階；前記ＣＰサーバーから前記音源コードを受信する段階；前記着信者の付加サービスを提供するＭＣＰに前記収集情報に含まれた着信者情報および前記音源コードを伝送する段階；および短文メッセージサービスセンター（ＳＭＳＣ）を通じて前記着信端末に短文メッセージを伝送する段階−ここで、短文メッセージは前記付加サービスの音源設定を要請する内容と前記ＡＲＳサーバーのコールバック番号またはＷＥＢ／ＷＡＰ（ＭＥ）サーバーのコールバックＵＲＬを含む−；を含み、前記ＭＣＰは、前記ＡＲＳサーバーまたは前記ＷＥＢ／ＷＡＰ（ＭＥ）サーバーと連動して、前記着信端末の音源変更要求信号によって前記音源コードを前記付加サービスの音源に設定することを特徴とする、音源変更サービス提供方法を提供する。
【００３２】
好ましい一実施例において、前記サービス提供方法は、前記着信者に対するサービス加入要求信号を顧客管理サーバーに伝送する段階をさらに含むことができる。
【００３３】
また、前記サービス提供方法は、前記付加サービス音源がリングバックトーン代替音源または通話連結音源であれば、前記ＡＲＳサーバーが前記ＣＰサーバーまたは前記第１ＭＣＰを通じてＳＣＰに音源変更要求信号を伝送する段階をさらに含むことができる。
【００３４】
また、前記付加サービスは、リングバックトーン代替音サービス、ベル音サービス、通話背景音サービス、カラオケサービス、音楽メールサービス、モーニングコールサービス、ＭＯＤ（Ｍｕｓｉｃ  Ｏｎ  Ｄｅｍａｎｄ）サービス、およびＶＯＤ（Ｖｉｄｅｏ  Ｏｎ  Ｄｅｍａｎｄ）サービスの中で少なくとも一つのサービスを含むことができる。
【００３５】
本発明のさらにほかの観点によれば、移動通信網を通じて少なくとも一つの発信端末および少なくとも一つの着信端末を管理する少なくとも一つの交換器（ＭＳＣ）、サービスＩＰサーバー、コンテンツ提供者（ＣＰ）サーバー、および自動応答サービス（ＡＲＳ）サーバーとそれぞれ結合する複数のサービス提供システムで、音源変更サービス−電話発信中に発信者の特定音源を利用して着信者の少なくとも一つの付加サービスの音源を変更するサービス−を提供する方法において、前記発信端末の電話発信中に発信端末加入者が加入した第１通信事業者網内の第１サービスＩＰサーバーを通じて前記発信端末からのＤＴＭＦショートカットキー信号を検出する段階；前記ＤＴＭＦショートカットキー信号に応じて前記第１通信事業者網内の第１サービス提供システムが前記第１サービスＩＰサーバーから収集情報を受信する段階；前記収集情報を予め決められた方式によって加工する段階；前記加工された情報によって前記特定音源を提供する前記第１通信事業者網内の第１ＣＰサーバーに発信者情報を伝送する段階；前記第１ＣＰサーバーから前記発信者情報に相応する前記特定音源の音源情報を受信する段階；前記第１サービス提供システムが、着信端末加入者が加入した第２通信事業者網内の第２サービス提供システムに前記音源情報を伝送する段階；前記音源情報を前記第２通信事業者網内の第２ＣＰサーバーに伝送する段階−ここで、前記第２ＣＰサーバーは前記付加サービスに対する複数の音源コード情報および前記複数の音源コード情報にそれぞれ相応する複数の歌手名と曲名情報が相互に参照できるように作成されたマッピングテーブルを利用して前記音源情報に相応する前記付加サービスの音源コードを抽出する−；前記第２ＣＰサーバーから前記音源コードを受信する段階；前記第２通信事業者網内で前記付加サービスを提供する第２ＭＣＰに前記収集情報に含まれた着信者情報および前記音源コードを含む音源変更要求信号を伝送する段階；および短文メッセージサービスセンター（ＳＭＳＣ）を通じて前記着信端末に短文メッセージを伝送する段階−ここで、短文メッセージは前記付加サービスの音源設定を要請する内容と前記ＡＲＳサーバーのコールバック番号またはＷＥＢ／ＷＡＰ（ＭＥ）サーバーのコールバックＵＲＬを含む−；を含み、前記第２ＭＣＰは、前記ＡＲＳサーバーまたは前記ＷＥＢ／ＷＡＰ（ＭＥ）サーバーと連動して、前記着信端末の音源変更要求信号によって前記音源コードを前記付加サービスの音源に設定することを特徴とする、音源変更サービス提供方法を提供する。
【００３６】
好ましい一実施例において、前記第２ＣＰサーバーは前記第２ＭＣＰを含むことができる。
【００３７】
本発明のさらにほかの観点によれば、移動通信網を通じて少なくとも一つの発信端末および少なくとも一つの着信端末を管理する交換器（ＭＳＣ）、サービスＩＰサーバー、およびコンテンツ提供者（ＣＰ）サーバーに結合されて、音源変更サービス−電話発信中に着信者のリングバックトーン代替音源を利用して発信者の少なくとも一つの付加サービスの音源を変更するサービスおよび電話発信中に発信者の特定音源を利用して着信者の少なくとも一つの付加サービスの音源を変更するサービス−を提供するサービス提供装置において、前記発信端末の電話発信中に前記サービスＩＰサーバーを通じて前記発信端末からのＤＴＭＦショートカットキー信号を検出するＤＴＭＦ信号検出部；前記サービスＩＰサーバーから受信した収集情報を予め決められた方式によって加工する収集情報処理部；前記ＤＴＭＦショートカットキー信号に応じて前記サービスＩＰサーバーから収集情報を受信し、前記収集情報処理部によって加工された情報に基づいて前記第１付加サービスを提供する第１ＭＣＰに前記第１付加サービスに対する音源情報を要請する音源情報要求信号を伝送し、前記第１ＭＣＰから前記音源情報を受信し、前記音源情報を前記ＣＰサーバーに伝送し、前記ＣＰサーバーから前記音源コードを受信し、前記第２付加サービスを提供する第２ＭＣＰに音源変更要求信号を伝送するデータ送受信部；および前記加工された情報をデータベースに記憶し、前記加工された情報を先入先出（ＦＩＦＯ）方式で読み出して前記第１ＭＣＰに順次に伝送し、前記ＤＴＭＦ信号検出部、前記収集情報処理部および前記データ送受信部を制御する制御部；を含むことを特徴とする、音源変更サービス提供装置を提供する。
【００３８】
本発明のさらにほかの観点によれば、移動通信網を通じて少なくとも一つの発信端末および少なくとも一つの着信端末を管理する交換器（ＭＳＣ）、サービスＩＰサーバー、およびコンテンツ提供者（ＣＰ）サーバーに結合されて、音源変更サービス−電話発信中に着信者のリングバックトーン代替音源を利用して発信者の少なくとも一つの付加サービスの音源を変更するサービス−を提供するサービス提供システムにおいて、プログラムが記憶されているメモリ；および前記メモリに結合されて前記プログラムを実行するプロセッサ；を含み、前記プロセッサは、前記プログラムによって、前記発信端末の電話発信中に前記サービスＩＰサーバーを通じて前記発信端末からのＤＴＭＦショートカットキー信号を検出し、前記ＤＴＭＦショートカットキー信号に応じて前記サービスＩＰサーバーから収集情報を受信し、前記収集情報を予め決められた方式によって加工し、前記加工された情報によって前記収集情報に含まれたリングバックトーン代替音コードを前記ＣＰサーバーに伝送し−ここで、前記ＣＰサーバーは少なくとも前記着信者のリングバックトーン代替音を提供する第１ＭＣＰおよび前記発信者の付加サービスを提供する第２ＭＣＰの複数の音源コードと前記複数の音源コードにそれぞれ相応する複数の歌手名および曲名が相互に参照できるように作成されたマッピングテーブルを利用して前記リングバックトーン代替音コードに相応する前記付加サービスの音源コードを抽出する−、前記ＣＰサーバーから前記音源コードを受信し、前記第２ＭＣＰに前記収集情報に含まれた発信者情報および前記音源コードを含む音源変更要求信号を伝送することを特徴とする、音源変更サービス提供システムを提供する。
【００３９】
本発明のさらにほかの観点によれば、移動通信網を通じて少なくとも一つの発信端末および少なくとも一つの着信端末を管理する交換器（ＭＳＣ）、サービスＩＰサーバー、およびコンテンツ提供者（ＣＰ）サーバーに結合されて、音源変更サービス−電話発信中に着信者のリングバックトーン代替音源を利用して発信者の少なくとも一つの付加サービスの音源を変更するサービス−を提供するサービス提供システムにおいて、プログラムが記憶されているメモリ；および前記メモリに結合されて前記プログラムを実行するプロセッサ；を含み、前記プロセッサは、前記プログラムによって、前記発信端末の電話発信中に前記サービスＩＰサーバーを通じて前記発信端末からのＤＴＭＦショートカットキー信号を検出し、前記ＤＴＭＦショートカットキー信号に応じて前記サービスＩＰサーバーから収集情報を受信し、前記収集情報内のＤＴＭＦショートカットキー情報を加工し、前記加工された情報によって着信者のリングバックトーン代替音を提供する第１ＭＣＰに前記収集情報に含まれたリングバックトーン代替音コードを伝送し、前記第１ＭＣＰから前記リングバックトーン代替音コードに相応する音源情報を受信し、前記ＣＰサーバーに前記音源情報を伝送し−ここで、前記ＣＰサーバーは前記少なくとも一つの付加サービスの音源コード情報および前記音源コード情報に相応する歌手名と曲名情報が相互に参照できるように作成されたマッピングテーブルを利用して前記音源情報に相応する前記付加サービスの音源コードを抽出する−、前記ＣＰサーバーから前記音源コードを受信し、前記付加サービスを提供する第２ＭＣＰに前記収集情報に含まれた発信者情報および前記音源コードを含む音源変更要求信号を伝送することを特徴とする、音源変更サービス提供システムを提供する。
【００４０】
本発明のさらにほかの観点によれば、移動通信網を通じて少なくとも一つの発信端末および少なくとも一つの着信端末を管理する少なくとも一つの交換器（ＭＳＣ）、サービスＩＰサーバー、およびコンテンツ提供者（ＣＰ）サーバーとそれぞれ結合して、音源変更サービス−電話発信中に着信者のリングバックトーン代替音源を利用して発信者の少なくとも一つの付加サービスの音源を変更するサービス−を提供するサービス提供システムにおいて、プログラムが記憶されているメモリ；および前記メモリに結合されて前記プログラムを実行するプロセッサ；を含み、前記プロセッサは、前記プログラムによって、前記発信端末の電話発信中に着信端末加入者が加入した第１通信事業者網内の第１サービスＩＰサーバーを通じて前記発信端末からのＤＴＭＦショートカットキー信号を検出し、前記ＤＴＭＦショートカットキー信号に応じて前記第１通信事業者網内の第１サービス提供システムが前記第１サービスＩＰサーバーから収集情報を受信し、前記収集情報を予め決められた方式によって加工し、前記加工された情報によって前記着信者のリングバックトーン代替音を提供する第１ＭＣＰに前記収集情報に含まれたリングバックトーン代替音コードを伝送し、前記第１ＭＣＰから前記リングバックトーン代替音コードに相応する音源情報を受信し、前記第１サービス提供システムが発信端末加入者が加入した第２通信事業者網内の第２サービス提供システムに前記音源情報を伝送し、前記第２サービス提供システムが前記音源情報を前記第２通信事業者網内のＣＰサーバーに伝送し−ここで、前記ＣＰサーバーは前記発信者の付加サービスに対する複数の音源コード情報および前記複数の音源コード情報にそれぞれ相応する複数の歌手名と曲名情報が相互に参照できるように作成されたマッピングテーブルを利用して前記音源情報に相応する前記付加サービスの音源コードを抽出する−、前記ＣＰサーバーから前記音源コードを受信し、前記第２通信事業者網内で前記付加サービスを提供する第２ＭＣＰに前記収集情報に含まれた発信者情報および前記音源コードを含む音源変更要求信号を伝送することを特徴とする、音源変更サービス提供システムを提供する。
【００４１】
本発明のさらにほかの観点によれば、移動通信網を通じて少なくとも一つの発信端末および少なくとも一つの着信端末を管理する交換器（ＭＳＣ）、サービスＩＰサーバー、コンテンツ提供者（ＣＰ）サーバー、および自動応答サービス（ＡＲＳ）サーバーと結合して音源変更サービス−電話発信中に発信者の特定音源を利用して着信者の少なくとも一つの付加サービスの音源を変更するサービス−を提供するサービス提供システムにおいて、プログラムが記憶されているメモリ；および前記メモリに結合されて前記プログラムを実行するプロセッサ；を含み、前記プロセッサは、前記プログラムによって、前記発信端末の電話発信中に前記サービスＩＰサーバーを通じて前記発信端末からのＤＴＭＦショートカットキー信号を検出し、前記ＤＴＭＦショートカットキー信号に応じて前記サービスＩＰサーバーから収集情報を受信し、前記収集情報を予め決められた方式によって加工し、前記加工された情報によって前記ＣＰサーバーに前記タイトル曲に対する音源コード要求信号を伝送し、前記ＣＰサーバーから前記音源コードを受信し、前記着信者の付加サービスを提供するＭＣＰに前記収集情報に含まれた着信者情報および前記音源コードを伝送し、短文メッセージサービスセンター（ＳＭＳＣ）を通じて前記着信端末に短文メッセージを伝送し−ここで、前記短文メッセージは前記付加サービスの音源設定を要請する内容と前記ＡＲＳサーバーのコールバック番号またはＷＥＢ／ＷＡＰ（ＭＥ）サーバーのコールバックＵＲＬを含む−、前記ＭＣＰは、前記ＡＲＳサーバーまたは前記ＷＥＢ／ＷＡＰ（ＭＥ）サーバーと連動して、前記着信端末の音源変更要求信号によって前記音源コードを前記付加サービスの音源に設定することを特徴とする、音源変更サービス提供システムを提供する。
【００４２】
本発明のさらにほかの観点によれば、移動通信網を通じて少なくとも一つの発信端末および少なくとも一つの着信端末を管理する交換器（ＭＳＣ）、サービスＩＰサーバー、コンテンツ提供者（ＣＰ）サーバー、および自動応答サービス（ＡＲＳ）サーバーと結合して音源変更サービス−電話発信中に発信者の特定音源を利用して着信者の少なくとも一つの付加サービスの音源を変更するサービス−を提供するサービス提供システムにおいて、プログラムが記憶されているメモリ；および前記メモリに結合されて前記プログラムを実行するプロセッサ；を含み、前記プロセッサは、前記プログラムによって、前記発信端末の電話発信中に前記サービスＩＰサーバーを通じて前記発信端末からのＤＴＭＦショートカットキー信号を検出し、前記ＤＴＭＦショートカットキー信号に応じて前記サービスＩＰサーバーから収集情報を受信し、前記収集情報を予め決められた方式によって加工し、前記加工された情報によって前記リングバックトーン代替音を提供する第１ＭＣＰに前記収集情報に含まれた発信者情報を伝送し、前記第１ＭＣＰから前記発信者情報に相応する前記リングバックトーン代替音源情報を受信し、前記音源情報を前記ＣＰサーバーに伝送し−ここで、前記ＣＰサーバーは少なくとも前記第１ＭＣＰおよび前記着信者の付加サービスを提供する第２ＭＣＰの複数の音源コードと前記複数の音源コードにそれぞれ相応する複数の歌手名および曲名が相互に参照できるように作成されたマッピングテーブルを利用して前記音源情報に相応する前記付加サービスの音源コードを抽出する−、前記ＣＰサーバーから前記音源コードを受信し、前記第２ＭＣＰに前記収集情報に含まれた着信者情報および前記音源コードを伝送し、短文メッセージサービスセンター（ＳＭＳＣ）を通じて前記着信端末に短文メッセージを伝送し−ここで、前記短文メッセージは前記付加サービスの音源設定を要請する内容と前記ＡＲＳサーバーのコールバック番号またはＷＥＢ／ＷＡＰ（ＭＥ）サーバーのコールバックＵＲＬを含む−、前記第２ＭＣＰは、前記ＡＲＳサーバーまたは前記ＷＥＢ／ＷＡＰ（ＭＥ）サーバーと連動して、前記着信端末の音源変更要求申号によって前記音源コードを前記付加サービスの音源に設定することを特徴とする、音源変更サービス提供システムを提供する。
【００４３】
本発明のさらにほかの観点によれば、移動通信網を通じて少なくとも一つの発信端末および少なくとも一つの着信端末を管理する少なくとも一つの交換器（ＭＳＣ）、サービスＩＰサーバー、コンテンツ提供者（ＣＰ）サーバー、および自動応答サービス（ＡＲＳ）サーバーとそれぞれ結合して音源変更サービス−電話発信中に発信者の特定音源を利用して着信者の少なくとも一つの付加サービスの音源を変更するサービス−を提供するサービス提供システムにおいて、プログラムが記憶されているメモリ；および前記メモリに結合されて前記プログラムを実行するプロセッサ；を含み、前記プロセッサは、前記プログラムによって、前記発信端末の電話発信中に発信端末加入者が加入した第１通信事業者網内の第１サービスＩＰサーバーを通じて前記発信端末からのＤＴＭＦショートカットキー信号を検出し、前記ＤＴＭＦショートカットキー信号に応じて前記第１通信事業者網内の第１サービス提供システムが前記第１サービスＩＰサーバーから収集情報を受信し、前記収集情報を予め決められた方式によって加工し、前記加工された情報によって前記特定音源を提供する前記第１通信事業者網内の第１ＣＰサーバーに発信者情報を伝送し、前記第１ＣＰサーバーから前記発信者情報に相応する前記特定音源の音源情報を受信し、前記第１サービス提供システムが着信端末加入者が加入した第２通信事業者網内の第２サービス提供システムに前記音源情報を伝送し、前記第２サービス提供システムが前記音源情報を前記第２通信事業者網内の第２ＣＰサーバーに伝送し−ここで、前記第２ＣＰサーバーは前記付加サービスに対する複数の音源コード情報および前記複数の音源コード情報にそれぞれ相応する複数の歌手名と曲名情報が相互に参照できるように作成されたマッピングテーブルを利用して前記音源情報に相応する前記付加サービスの音源コードを抽出する−、前記第２ＣＰサーバーから前記音源コードを受信し、前記第２通信事業者網内で前記付加サービスを提供する第２ＭＣＰに前記収集情報に含まれた着信者情報および前記音源コードを含む音源変更要求信号を伝送し、短文メッセージサービスセンター（ＳＭＳＣ）を通じて前記着信端末に短文メッセージを伝送し−ここで、前記短文メッセージは前記付加サービスの音源設定を要請する内容と前記ＡＲＳサーバーのコールバック番号またはＷＥＢ／ＷＡＰ（ＭＥ）サーバーのコールバックＵＲＬを含む−、前記第２ＭＣＰは、前記ＡＲＳサーバーまたは前記ＷＥＢ／ＷＡＰ（ＭＥ）サーバーと連動して、前記着信端末の音源変更要求信号によって前記音源コードを前記付加サービスの音源に設定することを特徴とする、音源変更サービス提供システムを提供する。
【００４４】
本発明のさらにほかの観点によれば、移動通信網を通じて少なくとも一つの発信端末および少なくとも一つの着信端末を管理する交換器（ＭＳＣ）、サービスＩＰサーバー、およびコンテンツ提供者（ＣＰ）サーバーと結合するサービス提供システムで、音源プッシュサービス−電話発信中に前記発信端末に相応して設定された少なくとも一つの第１付加サービスの音源を前記着信端末に相応して設定された少なくとも一つの第２付加サービスの音源としてプッシュするサービス−を提供する方法において、前記発信端末の電話発信中に前記サービスＩＰサーバーを通じて前記発信端末からのＤＴＭＦショートカットキー信号を検出する段階；前記ＤＴＭＦショートカットキー信号に相応して前記サービスＩＰサーバーから収集情報を受信する段階；前記収集情報を予め決められた方式によって加工する段階；前記加工された情報に基づいて前記第１付加サービスを提供する第１ＭＣＰに前記第１付加サービスに対する音源情報を要請する音源情報要求信号を伝送する段階−ここで、前記音源情報要求信号は前記発信端末に相応する発信端末識別子を含む−；前記第１ＭＣＰから前記音源情報を受信する段階；前記音源情報を前記ＣＰサーバーに伝送する段階−ここで、前記ＣＰサーバーはマッピングテーブルを利用して前記音源情報に相応する音源コードを抽出する−；前記ＣＰサーバーから前記音源コードを受信する段階；および前記第２付加サービスを提供する第２ＭＣＰに前記収集情報に含まれた着信者情報および前記音源コードを含む音源変更要求信号を伝送する段階；を含むことを特徴とする、音源プッシュサービス提供方法を提供する。
【００４５】
好ましい一実施例において、前記サービスＩＰサーバーは前記交換器（ＭＳＣ）内に搭載されることができる。また、前記サービスＩＰサーバーは前記サービス提供システム内に搭載されることができる。
【００４６】
また、前記ＣＰサーバー、前記第１ＭＣＰ、および前記第２ＭＣＰは一つのＣＰ（Ｃｏｎｔｅｎｔｓ  Ｐｒｏｖｉｄｅｒ）に含まれることができる。
【００４７】
また、前記第１ＭＣＰおよび前記第２ＭＣＰは一つのＭＣＰ（Ｍａｓｔｅｒ  Ｃｏｎｔｅｎｔｓ  Ｐｒｏｖｉｄｅｒ）であることができる。
【００４８】
また、前記収集情報は、前記発信端末に相応する発信者情報と前記着信端末に相応する着信者情報を含む顧客情報、前記付加サービスを提供するコンテンツ提供者（ＣＰ／ＭＣＰ）の識別子と一連番号を含む音源コード、および前記ＤＴＭＦショートカットキー情報を含むことができる。
【００４９】
また、前記加工された情報は前記サービス提供システムのデータベースに記憶され、先入先出（ＦＩＦＯ）方式で読み出されて、前記第１ＭＣＰに順次伝送されることができる。
【００５０】
また、前記音源情報は歌手名および曲名を含むことができる。
【００５１】
また、前記マッピングテーブルは、前記第１ＭＣＰおよび前記第２ＭＣＰからそれぞれ提供する付加サービスの複数の音源コードおよび前記複数の音源コードにそれぞれ相応する複数の歌手名と曲名が相互に参照できるように作成されたデータベースを含むことができる。
【００５２】
また、前記第２付加サービスがリングバックトーン代替音サービスまたは通話連結音サービスであれば、前記第２ＭＣＰがサービス制御器（ＳＣＰ）に前記音源変更要求信号を伝送する段階をさらに含むことができる。
【００５３】
また、前記サービス提供方法は、前記着信端末に前記第２付加サービスの音源変更を知らせる段階をさらに含むことができる。ここで、前記第２付加サービスの音源変更に対する通報は、短文メッセージサービスセンター（ＳＭＳＣ）の短文メッセージサービス（ＳＭＳ）を用いることができる。また、前記着信端末に伝送される前記ＳＭＳの短文メッセージはＡＲＳサーバーのコールバック番号またはＷＥＢ／ＷＡＰ（ＭＥ）サーバーのコールバックＵＲＬを含むことができる。
【００５４】
本発明のさらにほかの観点によれば、移動通信網を通じて少なくとも一つの発信端末および少なくとも一つの着信端末を管理する交換器（ＭＳＣ）、サービスＩＰサーバー、およびコンテンツ提供者（ＣＰ）サーバーとそれぞれ結合する複数のサービス提供システムで、音源プッシュサービス−電話発信中に前記発信端末に相応して設定された少なくとも一つの第１付加サービスの音源を前記着信端末に相応して設定された少なくとも一つの第２付加サービスの音源としてプッシュするサービス−を提供する方法において、前記発信端末の電話発信中に前記発信端末が加入された第１通信事業者網内の第１サービスＩＰサーバーを通じて前記発信端末からのＤＴＭＦショートカットキー信号を検出する段階；前記ＤＴＭＦショートカットキー信号に応じて前記第１通信事業者網内の第１サービス提供システムが前記第１サービスＩＰサーバーから収集情報を受信する段階；前記収集情報を予め決められた方式によって加工する段階；前記加工された情報に基づいて前記第１付加サービスを提供する第１ＭＣＰに前記第１付加サービスに対する第１音源情報を要請する第１音源情報要求信号を伝送する段階−ここで、前記第１音源情報要求信号は前記発信端末に相応する発信端末識別子を含む−；前記第１ＭＣＰから前記第１音源情報を受信する段階；前記第１サービス提供システムが前記着信端末が加入された第２通信事業者網内の第２サービス提供システムに前記第１音源情報を伝送する段階；前記第２サービス提供システムが前記第１音源情報を前記第２通信事業者網内のＣＰサーバーに伝送する段階−ここで、前記ＣＰサーバーはマッピングテーブルを利用して前記第１音源情報に相応する音源コードを抽出する−；前記ＣＰサーバーから前記音源コードを受信する段階；および前記第２通信事業者網内で前記第２付加サービスを提供する第２ＭＣＰに前記収集情報に含まれた着信者情報および前記音源コードを含む音源変更要求信号を伝送する段階；を含むことを特徴とする、音源プッシュサービス提供方法を提供する。
【００５５】
本発明のさらにほかの観点によれば、移動通信網を通じて少なくとも一つの発信端末および少なくとも一つの着信端末を管理する交換器（ＭＳＣ）、サービスＩＰサーバー、およびコンテンツ提供者（ＣＰ）サーバーと結合して音源プッシュサービス−電話発信中に前記発信端末に相応して設定された少なくとも一つの第１付加サービスの音源を前記着信端末に相応して設定された少なくとも一つの第２付加サービスの音源としてプッシュするサービス−を提供するサービス提供装置において、少なくとも一つのサービスＩＰサーバーと結合するＩＰインターフェース、前記ＣＰサーバーと結合するＣＰサーバーインターフェース、ＳＭＳＣと結合するＳＭＳＣインターフェース、ＩＤＲと結合するＩＤＲインターフェース、ＷＡＰ／ＭＥプッシュサーバーと結合するＷＡＰ／ＭＥプッシュサーバーインターフェース、およびＷＡＰ／ＭＥゲートウェイと結合するＷｅｂインターフェースを含み、前記インターフェースの中で少なくとも一つを通じてデータを受信して伝送するデータ送受信部；前記データ送受信部で受信したデータを処理する作業管理者（Ｔａｓｋ  Ｍａｎａｇｅｒ）を含む制御部；前記作業管理者と結合されたデータベースおよび前記データベースに結合された共通ゲートウェイインターフェース（ＣＧＩ：Ｃｏｍｍｏｎ  Ｇａｔｅｗａｙ  Ｉｎｔｅｒｆａｃｅ）を含むデータベース処理部；およびＳＭＳＣ（Ｓｈｏｒｔｍｅｓｓａｇｅ  Ｓｅｒｖｉｃｅ  Ｃｅｎｔｅｒ）連動部、ＩＤＲ（Ｉｎｔｅｒｎｅｔ  Ｄｅｔａｉｌ  Ｒｅｃｏｒｄｉｎｇ）連動部、ＮＭＳ（Ｎｅｔｗｏｒｋ  Ｍａｎａｇｅｍｅｎｔ  Ｓｙｓｔｅｍ）連動部、ＣＰサーバー連動部、ＭＣＰ連動部、および網管理システム（ＮＭＳ）と結合する簡易網管理プロトコルエージェント（ＳＮＭＰ  Ａｇｅｎｔ：Ｓｉｍｐｌｅ  Ｎｅｔｗｏｒｋ  Ｍａｎａｇｅｍｅｎｔ  Ｐｒｏｔｏｃｏｌ  Ａｇｅｎｔ）を含む網連動部；を含むことを特徴とする、音源プッシュサービス提供装置を提供する。
【００５６】
好ましい一実施例において、前記サービス提供装置は、前記第１ＭＣＰおよび前記第２ＭＣＰを含む少なくとも一つのＭＣＰと結合するＭＣＰサーバーインターフェースをさらに含むことができる。
【００５７】
本発明のさらにほかの観点によれば、移動通信網を通じて少なくとも一つの発信端末および少なくとも一つの着信端末を管理する交換器（ＭＳＣ）、サービスＩＰサーバー、およびコンテンツ提供者（ＣＰ）サーバーと結合して音源プッシュサービス−電話発信中に前記発信端末に相応して設定された少なくとも一つの第１付加サービスの音源を前記着信端末に相応して設定された少なくとも一つの第２付加サービスの音源としてプッシュするサービス−を提供するサービス提供装置において、前記発信端末の電話発信中に前記サービスＩＰサーバーを通じて前記発信端末からのＤＴＭＦショートカットキー信号を検出するＤＴＭＦ信号検出部；前記サービスＩＰサーバーから受信した収集情報を予め決められた方式によって加工する収集情報処理部；前記ＤＴＭＦショートカットキー信号に応じて前記サービスＩＰサーバーから収集情報を受信し、前記収集情報処理部によって加工された情報に基づいて前記第１付加サービスを提供する第１ＭＣＰに前記第１付加サービスに対する音源情報を要請する音源情報要求信号を伝送し、前記第１ＭＣＰから前記音源情報を受信し、前記音源情報を前記ＣＰサーバーに伝送し、前記ＣＰサーバーから前記音源コードを受信し、前記第２付加サービスを提供する第２ＭＣＰに音源変更要求信号を伝送するデータ送受信部；および前記加工された情報をデータベースに記憶し、前記加工された情報を先入先出（ＦＩＦＯ）方式で読み出して前記第１ＭＣＰに順次伝送し、前記ＤＴＭＦ信号検出部、前記収集情報処理部、および前記データ送受信部を制御する制御部；を含むことを特徴とする、音源プッシュサービス提供装置を提供する。
【００５８】
本発明のさらにほかの観点によれば、移動通信網を通じて少なくとも一つの発信端末および少なくとも一つの着信端末を管理する交換器（ＭＳＣ）、サービスＩＰサーバー、およびコンテンツ提供者（ＣＰ）サーバーと結合して音源プッシュサービス−電話発信中に前記発信端末に相応して設定された少なくとも一つの第１付加サービスの音源を前記着信端末に相応して設定された少なくとも一つの第２付加サービスの音源としてプッシュするサービス−を提供するサービス提供システムにおいて、プログラムが記憶されているメモリ；および前記メモリに結合されて前記プログラムを実行するプロセッサ；を含み、前記プロセッサは、前記プログラムによって、前記発信端末の電話発信中に前記サービスＩＰサーバーを通じて前記発信端末からのＤＴＭＦショートカットキー信号を検出し、前記ＤＴＭＦショートカットキー信号に応じて前記サービスＩＰサーバーから収集情報を受信し、前記収集情報を予め決められた方式によって加工し、前記加工された情報に基づいて前記第１付加サービスを提供する第１ＭＣＰに前記第１付加サービスに対する音源情報を要請する音源情報要求信号を伝送し−ここで、前記音源情報要求信号は前記発信端末に相応する発信端末識別子を含む−、前記第１ＭＣＰから前記音源情報を受信し、前記音源情報を前記ＣＰサーバーに伝送し−ここで、前記ＣＰサーバーはマッピングテーブルを利用して前記音源情報に相応する音源コードを抽出する−、前記ＣＰサーバーから前記音源コードを受信し、前記第２付加サービスを提供する第２ＭＣＰに前記収集情報に含まれた着信者情報および前記音源コードを含む音源変更要求信号を伝送することを特徴とする、音源プッシュサービス提供システムを提供する。
【００５９】
本発明のさらにほかの観点によれば、移動通信網を通じて少なくとも一つの発信端末および少なくとも一つの着信端末を管理する交換器（ＭＳＣ）、サービスＩＰサーバー、およびコンテンツ提供者（ＣＰ）サーバーとそれぞれ結合して音源プッシュサービス−電話発信中に前記発信端末に相応して設定された少なくとも一つの第１付加サービスの音源を前記着信端末に相応して設定された少なくとも一つの第２付加サービスの音源としてプッシュするサービス−を提供するサービス提供システムにおいて、前記発信端末の電話発信中に前記発信端末が加入された第１通信事業者網内の第１サービスＩＰサーバーを通じて前記発信端末からのＤＴＭＦショートカットキー信号を検出し、前記ＤＴＭＦショートカットキー信号に応じて前記第１通信事業者網内の第１サービス提供システムが前記第１サービスＩＰサーバーから収集情報を受信し、前記収集情報を予め決められた方式によって加工し、前記加工された情報に基づいて前記第１付加サービスを提供する第１ＭＣＰに前記第１付加サービスに対する第１音源情報を要請する第１音源情報要求信号を伝送し−ここで、前記第１音源情報要求信号は前記発信端末に相応する発信端末識別子を含む−、前記第１ＭＣＰから前記第１音源情報を受信し、前記第１サービス提供システムが前記着信端末が加入された第２通信事業者網内の第２サービス提供システムに前記第１音源情報を伝送し、前記第２サービス提供システムが前記第１音源情報を前記第２通信事業者網内のＣＰサーバーに伝送し−ここで、前記ＣＰサーバーはマッピングテーブルを利用して前記第１音源情報に相応する音源コードを抽出する−、前記ＣＰサーバーから前記音源コードを受信し、前記第２通信事業者網内で前記第２付加サービスを提供する第２ＭＣＰに前記収集情報に含まれた着信者情報および前記音源コードを含む音源変更要求信号を伝送することを特徴とする、音源プッシュサービス提供システムを提供する。
【発明を実施するための最良の形態】
【００６０】
以下、添付図面を参照して本発明の望ましい実施例を詳しく説明する。
【実施例１】
【００６１】
参考として、本明細書で説明する第１実施例において、電話発信中に発信者が着信者のリングバックトーン代替音源を利用して自分の付加サービス音源を変更するかまたは自分のリングバックトーン代替音を着信者の付加サービス音源としてプレゼントするサービスを音源変更サービスまたは電話発信中音源変更サービスと言う。
【００６２】
図１は本発明の望ましい第１実施例によるサービスを適用するための通信ネットワークの構成を概略的に示す図である。
【００６３】
図１を参照すれば、本発明の第１実施例による通信ネットワークは、少なくとも通信網を構成する要素として、ＭＳＣ１０３およびホーム位置登録機（ＨＬＲ）を含む。また、通信ネットワークは、例えばリングバックトーン代替音サービスと通話背景音サービスを提供するために、リングバックトーン代替音および通話背景音加入者情報、およびリングバックトーン代替音および通話背景音コードを管理するＳＣＰ１１１、および通話連結音などの付加サービスの音源を発信者に再生する知能周辺装置（ＩＰ）１０９を含む。ＩＰ１０９は、本発明によるサービス以外に、ほかの付加サービス（他サービス）の音源を加入者の通話路上で再生する他サービスＩＰである。また、通信ネットワークは、リングバックトーン代替音サービス、通話背景音サービス、ベル音サービス、音楽メールサービス、モーニングコールサービス、ＭＯＤ／ＶＯＤサービスなどの付加サービス別にその音源を登録し、そのファイルを管理する複数のＭＣＰ１３１、１３３、１３５、１３７を含む。また、通信ネットワークは、前述した他サービスＩＰ１０９だけでなく、本発明によるサービスを提供するためのサービスＩＰサーバー１００、既存の付加サービスを提供する複数のＭＣＰ１３１〜１３７、および本発明によるサービスを提供するための付加装備であるサービス提供ＭＣＰシステム２６０と連動しながら基本機能を実行する。
【００６４】
具体的に、本発明による通信ネットワークは、少なくとも一つの移動通信端末１０１を管理する交換器（ＭＳＣ）１０３と、サービス交換器（ＳＳＰ）１０５と、移動通信交換網（ＭＳＣ  Ｎｅｔｗｏｒｋ）１０７を通じて交換器１０３およびサービス交換器１０５に結合された他サービスＩＰ１０９と、サービスＩＰサーバー１００と、他サービスＩＰ１０９およびサービスＩＰサーバー１００と結合されたサービス制御器（ＳＣＰ）１１１とを含む。ＳＣＰ１１１は、顧客管理網の一種であるＷＩＳＥ（ＣＳ／ＢＳ）網１１３を通じて顧客管理サービスの一種であるＷＩＳＥ（ＣＳ）１１５に結合され、ＮＭＳ網１１７を通じて網管理システム（ＮＭＳ  Ｓｙｓｔｅｍ）１１９に結合され、ＳＭＳＣ網１２１を通じてＳＭＳＣ１２３に結合され、ＤＲ網１２５を通じてインターネット詳細記録システム（ＩＤＲ  Ｓｙｓｔｅｍ）１２７に結合される。
【００６５】
また、通信ネットワークは、複数のマスターコンテンツ提供者（ＭＣＰ：Ｍａｓｔｅｒ  Ｃｏｎｔｅｎｔ  Ｐｒｏｖｉｄｅｒ）１３１、１３３、１３５、１３７を含む。ＭＣＰ１３１〜１３７は、自動応答システム（ＡＲＳ）１３２、１３４、１３６、１３８にそれぞれ結合される。ＡＲＳ１３２〜１３８は、公衆交換電話網または移動通信交換網１４１を通じて移動通信端末１４３と有線電話機１４５に結合される。また、ＭＣＰ１３１〜１３７とＡＲＳ１３２〜１３８は、インターネット１４７を通じて少なくとも一つのインターネット使用者端末１４９に結合される。
【００６６】
また、通信ネットワークは、本発明による電話発信中リングバックトーン代替音を利用してほかの付加サービスの音源を変更するサービス（電話発信中音源変更サービス）を提供するサービス提供システム２００（以下‘サービス提供システム’という）を含む。サービス提供システム２００は、防火壁（Ｆｉｒｅ  ｗａｌｌ）を通じてサービスＩＰサーバー１００、ＳＣＰ１１１、ＭＣＰ１３１〜１３７などに結合される。サービス提供システム２００は、基本的なサービス提供装置としてゲートウェイ（Ｇ／Ｗ：Ｇａｔｅｗａｙ）を含む。例えば、サービス提供システム２００は、図１のように、第１サービス提供Ｇ／Ｗ２００Ａおよび第２サービス提供Ｇ／Ｗ２００Ｓを含む。このような場合、第１サービス提供Ｇ／Ｗ２００Ａと第２サービス提供Ｇ／Ｗ２００Ｓは、アクティブ−アクティブ構造のサーバーとして動作するかまたはアクティブ−スタンバイ（Ａｃｔｉｖｅ−Ｓｔａｎｄｂｙ）構造のサーバーとして動作する。
【００６７】
また、サービス提供システム２００は、図１のように、第１サービス提供Ｇ／Ｗ２００Ａおよび第２サービス提供Ｇ／Ｗ２００Ｓに結合されるＲＡＩＤ（Ｒｅｄｕｎｄａｎｔ  Ａｒｒａｙ  ｏｆ  Ｉｎｅｘｐｅｎｓｉｖｅ  Ｄｉｓｋｓ）２５１を含むことができる。ＲＡＩＤ２５１は、同一の重要データを多くの記憶装置に重複して格納する装置を言う。ＲＡＩＤ２５１を利用すれば、データの入出力作業が均衡を成して重畳されるので、全体的なシステムの性能を向上させることができる。
【００６８】
また、サービス提供システム２００は、第１サービス提供Ｇ／Ｗ２００Ａおよび第２サービス提供Ｇ／Ｗ２００Ｓに結合されるＯＭＳ（ＯＡＭ  Ｓｅｒｖｅｒ：Ｏｐｅｒａｔｉｏｎ、Ａｄｍｉｎｉｓｔｒａｔｉｏｎ  ａｎｄ  Ｍａｉｎｔｅｎａｎｃｅ  Ｓｅｒｖｅｒ）２５３を含むことができる。ＯＭＳ２５３は、遠隔地でシステムを運営、管理して料金精算および統計処理作業をすることができる機能を含む。ＯＭＳ２５３は、運営者の便宜のために、グラフィック使用者環境を提供する。ＯＭＳ２５３は、サービス提供システム２００を運用／管理するためのサーバーおよびクライアントから構成される。ＯＭＳ２５３は、サービス提供システム２００およびＲＡＩＤ２５１などに対する形状管理、統計管理、運用管理および障害管理などを行うＯＡＭの役目を担当する。このために、ＯＭＳ２５３は、後述するＣＰサーバー２６１およびＣＰＡＲＳ２６３との連動機能、ウェブ基盤のＯＡＭ機能、ＭＭＣ（Ｍａｎ  Ｍａｃｈｉｎｅ  Ｃｏｍｍｕｎｉｃａｔｉｏｎ）およびＣＬＩ（Ｃｏｍｍｏｎ  Ｌｉｎｅ  Ｉｎｔｅｒｆａｃｅ）処理機能、システム形状管理機能、マッピング（ｍａｐｐｉｎｇ）テーブルコード管理および統計照会機能、システム状態および障害管理機能、ＮＭＳとの連動機能などを含む。
【００６９】
また、本発明による通信ネットワークは、ＳＣＰ１１１、ＭＣＰ１３１〜１３７、およびサービス提供システム２００などに結合されるコンテンツ提供者サーバー（ＣＰ  Ｓｅｒｖｅｒ）２６１およびＣＰＡＲＳ２６３を含む。ＣＰサーバー２６１およびＣＰＡＲＳ２６３は本発明によるサービスを提供するためのもので、本サービスのためのサービス提供ＭＣＰシステム２６０として使用される。ここで、ＣＰＡＲＳ２６３はＣＰサーバー２６１に含まれることができる。このような場合、ＣＰサーバー２６１はサービス提供ＭＣＰシステム２６０を代表する。また、インターネット１４７に結合されたサービス提供ＷＥＢサーバー２６５およびサービス提供ＷＡＰ／ＭＥサーバー２６７がＣＰサーバー２６１に結合されることができる。ＣＰＡＲＳ２６３は、移動通信網／公衆交換電話網１５１を通じて少なくとも一つの電話端末１５３に結合される。
【００７０】
一方、本発明によるＣＰサーバー２６１は、加入者が電話発信中にＤＴＭＦ信号を利用して付加サービス音源への音源設定または変更を要求した時、サービス提供システム２００と連動して、顧客情報と該当音源情報を利用してサービス提供システム２００から提供するサービスに相応するようにほかの付加サービスの音源コードを変更する役目を担当する。また、ＣＰサーバー２６１は、サービス提供システム２００との接続プロトコル処理部、本発明による通信付加サービス（以下‘音源変更サービス’という）のための音源管理部、音源変更サービスの利用顧客管理部、サービス提供システム内の音源に対するコード管理部、ほかの事業者の音源に対するサービス提供システム内のコード管理部、音源コードに対するサービス提供システムのアップデート機能部、音源コードＤＢ、音源変更サービスの利用加入者情報ＤＢ、外部ＣＰ／ＭＣＰ情報ＤＢおよび外部ＣＰ／ＭＣＰ音源コードＤＢを管理するデータベース管理部、バックアップ（Ｂａｃｋｕｐ）機能部、プロトコルメッセージ処理統計、事業者別音源コード変更統計およびシステム負荷率統計を管理する統計管理部、およびサービス提供システムの接続障害とシステム障害を管理する障害管理機能部を含む。
【００７１】
本発明によるＣＰＡＲＳ２６３は、発信端末加入者または着信端末加入者が移動通信端末を利用して自分の付加サービスの音源を設定／変更するか聞き取るか、または友達に音源をプレゼントするなどのほかのサービスを利用するようにする。このために、ＣＰＡＲＳ２６３は、サービス提供システム２００との連動機能、移動通信交換器（ＭＳＣ）およびＰＳＴＮ交換器とのＩＴＵ−Ｔ  Ｎｏ．７信号方式またはＲ２／ＰＲＩ信号方式の連動機能、ＣＰサーバー２６１との接続プロトコルを処理する第１接続プロトコル処理機能、既存のフィールリング（ＦｅｅｌＲｉｎｇ）、カラーリング（ＣＯＬＯＲｉｎｇ）、ツーリング（２Ｒｉｎｇ）のようなリングバックトーン代替音サービスなどの付加サービスを提供するＭＣＰ１３１との接続プロトコルを処理する第２接続プロトコル処理機能、およびその他の外部ＭＣＰとの接続プロトコルを処理する第３接続プロトコル処理機能を含む。
【００７２】
また、ＣＰＡＲＳ２６３は、本発明による音源変更サービスの音源ダウンロードおよび音源管理機能、選択音源をほかの事業者顧客にプレゼントすることとほかの事業者顧客の付加サービスの音源コピーと網事業者間の連動付加サービス機能、選択音源の統計と呼処理統計およびシステム負荷率統計を含む統計機能、システム障害管理とＴＣＰ／ＩＰ連動障害処理のための障害管理機能を含む。また、ＣＰＡＲＳ２６３は、ＣＰＡＲＳサーバー内でＩＴＵ−Ｔ  Ｎｏ．７信号方式の使用者部（ＳＳ７  ＩＳＵＰ）およびＩＶＲ（Ｉｎｔｅｒａｃｔｉｖｅ  Ｖｏｉｃｅ  Ｒｅｓｐｏｎｓｅ）信号を処理することができる。
【００７３】
一方、前述したサービスＩＰサーバー１００は、今後の電子通信装備の技術進歩にしたがい、交換器（ＭＳＣ）１０３またはサービス提供システム２００内に搭載されることと予想される。したがって、本発明は、サービスＩＰサーバー１００が独立した装置であるかまたは交換器１０３またはサービス提供システム２００に内に搭載されたＩＰ機能部の場合を含む。
【００７４】
図２は本発明の望ましい第１実施例によるサービス提供装置を示すブロック図である。
【００７５】
図２を参照すれば、本発明の第１実施例によるサービス提供装置は、発信端末加入者が電話発信中にＤＴＭＦショートカットキーを用いて着信者のリングバックトーン代替音源を自分の付加サービスの音源に変更するかまたは自分のリングバックトーン代替音源、タイトル曲またはこれに相応する特定音源を着信者の付加サービスの音源としてプレゼントするようにサービスする装置である。サービス提供装置２００Ａは、基本的に、外部の知能網から使用者の信号を受ける外部データ受信部、受信したデータを処理するためのデータ処理部、データベース処理部、および処理したデータをほかのサーバーに伝達する外部データ伝送部を含む。
【００７６】
具体的に、サービス提供装置２００Ａは外部データの送受信のための部分であって、少なくとも一つのサービスＩＰ１００に結合されるＩＰインターフェース２０１、ＭＣＰ１３１、１３３、１３５に結合されるＭＣＰインターフェース２０３、ＣＰサーバー２６１に結合されるＣＰサーバーインターフェース２０５、ＳＭＳＣ１２３に結合されるＳＭＳＣインターフェース２０７、ＩＤＲ１２７に結合されるＩＤＲインターフェース２０９、ＷＡＰ／ＭＥプッシュサーバー１５５に結合されるＷＡＰ／ＭＥプッシュサーバーインターフェース２１１、ＷＡＰ／ＭＥゲートウェイ１５７に結合されるＷｅｂインターフェース２１３、およびＮＭＳ１１９に結合される簡易網管理プロトコルエージェント（ＳＮＭＰ  Ａｇｅｎｔ：Ｓｉｍｐｌｅ  Ｎｅｔｗｏｒｋ  Ｍａｎａｇｅｍｅｎｔ  Ｎｅｔｗｏｒｋ  Ａｇｅｎｔ）２１５を含む。前述したＳＭＳＣインターフェース２０７は新規加入による短文メッセージサービス通報（ＳＭＳ  Ｎｏｔｉｆｉｃａｔｉｏｎ）のためのインターフェースである。このために、ＳＭＳＣインターフェース２０７はＳＭＰＰプロトコルを使用することができる。ＩＤＲインターフェース２０９は、サービスの課金（精算）のために、ＩＤＲ１２７と連動するインターフェースである。ＩＤＲインターフェース２０９は各通信網事業者によって設定された規格に準ずる。
【００７７】
また、サービス提供装置２００Ａは、システム内のすべての作業を管理する作業管理者（Ｔａｓｋ  Ｍａｎａｇｅｒ）２１７、作業管理者２１７に結合されたデータベース２２７、作業管理者２１７に結合された共通ゲートウェイインターフェース（ＣＧＩ：Ｃｏｍｍｏｎ  Ｇａｔｅｗａｙ  Ｉｎｔｅｒｆａｃｅ）２２９、およびシステムの可用性を高める高可用性モジュール（Ｈｉｇｈ  Ａｖａｉｌａｂｉｌｉｔｙ  Ｍｏｄｕｌｅ）２３１を含む。作業管理者２１７は、ＣＰサーバー２６１またはＭＣＰ１３１、１３３、１３５を通じてＳＣＰ１１１に音源設定または音源変更を要請するための要請作業処理部（Ｒｅｑｕｅｓｔ  Ｐｒｏｃｅｓｓｉｎｇ  Ｔａｓｋ）２１９、各ＭＣＰの相違なる音源コードを所望付加サービスの音源コードに変換するコード変換処理部（Ｃｏｄｅ  Ｃｏｎｖｅｒｓｉｏｎ  Ｔａｓｋ）２２１、作業管理者２１７によって実行された処理作業に対するログを記録するログ作業処理部（Ｌｏｇ  Ｔａｓｋ）２２３、および作業管理者２１７によって実行された処理作業に対する統計を処理する統計作業処理部（Ｓｔａｔｉｓｔｉｃｓ  Ｔａｓｋ；２２５）を含む。
【００７８】
前記構成によって、本発明は、サービス利用者に次のような利点を提供することができる。一つ目、サービス加入顧客はオンライン上で通話を試す際にＤＴＭＦショートカットキーを用いて相手のリングバックトーン代替音を聞き取った後すぐ自分の少なくとも一つの付加サービス音源に設定することができる。二つ目、サービス非加入顧客は、オンライン上で電話試みの時、相手のリングバックトーン代替音を聞き取った後、リアルタイムで直ちにサービス加入および音源設定ができる。三つ目、発信顧客は有無線インターネットおよびＣＰＡＲＳを通じて相手（受信者）にプレゼントする音源（タイトル曲）を簡便に設定および管理することができる。四つ目、発信顧客は、オンライン上で通話を試す際に、ＤＴＭＦショートカットキーを用いて自分が設定しておいた音源（タイトル曲または自分のリングバックトーン代替音）を相手の付加サービス音源としてプレゼントして相手にサービス加入誘導および受信者サービス音源設定を行うことができる。
【００７９】
また、本発明は、通信事業者に次のような効果を提供することができる。一つ目、移動通信事業者は付加サービスの新規加入誘導および顧客増加による付加利益を生むことができる。二つ目、移動通信事業者、ＭＣＰおよびＣＰの場合は顧客が、既製作されている音源に対して音源変更を頻繁に行うことができるので、音源変更／再使用による付加収益を増大させることができる。三つ目、サービス加入方法および手順が分からなくて加入できない顧客に対する新規加入誘導を増大させることができる。
【００８０】
図３は本発明の望ましい第１実施例による、発信者が電話発信中にＤＴＭＦショートカットキーを用いて着信者のリングバックトーン代替音源を自分の付加サービス音源に設定するサービスを説明するための図である。図４は本発明の望ましい一実施例によるサービスの信号処理手順を示す信号流れ図である。
【００８１】
図３および図４を参照すれば、発信者がリングバックトーン代替音サービスを加入した着信者に発信すればリングバックトーン代替音サービスシナリオによって発信者は着信者のリングバックトーン代替音を受信する（段階４０１）。この時、着信者のリングバックトーン代替音が気に入って自分のサービス音源に変更することを希望する場合に、発信者は発信端末でサービス音源ＤＴＭＦショートカットキーを入力する（段階４０３）。サービスＩＰサーバーは該当ショートカットキーを感知し、サービスＩＰサーバーが現在サービスのために収集した情報である発信者電話番号（発信者ＭＩＮ）、着信者電話番号（着信者ＭＩＮ）、リングバックトーン代替音コードおよびＤＴＭＦショートカットキー情報をサービス提供システムに伝送する（段階４０５）。前記サービス音源ショートカットキーは、例えばリングバックトーン代替音変更は１＃、背景音変更は２＃、ベル音変更は３＃、音楽メール変更は４＃、ＭＯＤ変更は５＃、ＶＯＤ変更は６＃となる。また、前記サービス提供システムは、本発明によるサービス提供装置としてゲートウェイ（Ｇ／Ｗ）を含む。
【００８２】
つぎに、サービス提供システムは、サービスＩＰサーバーから受信したデータを分析する。すなわち、サービス提供システムは、少なくともＤＴＭＦショートカットキーを分析した後、着信者の音源情報、例えば歌手および題目などを知るために、顧客情報および音源情報をリングバックトーン代替音サービスＭＣＰに伝送する（段階４０７）。リングバックトーン代替音サービスＭＣＰは、該当リングバックトーン代替音コードの歌手名および曲名を抽出してサービス提供システムに伝送する（段階４０９）。
【００８３】
サービス提供システムは、本発明によるサービスのために連動するＣＰサーバーに発信者の要求に応じて音源を変更しようとする付加サービスに使用する、前記歌手名および題目に相応する音源コードを要請する（段階４１１）。このような要請に応じて、ＣＰサーバーは音源コードを抽出してサービス提供システムに伝送する（段階４１３）。サービス提供システムは、受信した音源コードを利用して、発信者の付加サービスを提供する該当付加サービス提供ＭＣＰに音源設定および変更を要請する（段階４１５）。
【００８４】
サービス提供システムから音源変更要求信号を受信した付加サービス提供ＭＣＰは、発信者に対して設定されたサービス設定情報を変更する（段階４１７）。この時、付加サービス提供ＭＣＰは、変更しようとするサービスがリングバックトーン代替音であれば、ＳＣＰに発信者のリングバックトーン代替音に対する音源変更を要請する（段階４１９）。その後、サービス提供システムは図３の（１０）に示すように、発信者に音源変更結果をＳＭＳで知らせることができる。この時、発信者が該当サービスに未加入状態であれば、サービス提供システムはＷＩＳＥ（ＣＳ）に発信者に対する新規顧客登録を要請して、発信者を該当サービスに自動加入させた後、その加入内容とともに音源変更結果を短文メッセージサービス（ＳＭＳ）で知らせることができる。（１１）のように、通話後に、発信者はＳＭＳ内のコールバック番号またはＵＲＬ住所を通じてＡＲＳに接続してサービス加入、音源聴取および音源変更を確認することができる。
【００８５】
図５は本発明の第１実施例によるサービスの信号処理手順を示す信号流れ図である。
【００８６】
図５を参照すれば、本発明は、ＣＰサーバーが各付加サービスを提供する複数のＭＣＰの機能を含むようになった場合、前述した第１実施例場合でより短縮した手順によって本発明によるサービスを提供することができる。具体的に、発信者がリングバックトーン代替音サービスを加入した着信者に発信をすれば、リングバックトーン代替音サービスシナリオによって発信者は着信者のリングバックトーン代替音を受信する（段階５０１）。この時、着信者のリングバックトーン代替音が気に入って自分の付加サービス音源に変更することを希望する場合、発信者は発信端末でサービス音源ＤＴＭＦショートカットキーを入力する（段階５０３）。サービスＩＰサーバーは、該当ショートカットキーを感知して、現在サービスのために収集した情報である発信者電話番号（発信者ＭＩＮ）、着信者電話番号（着信者ＭＩＮ）、リングバックトーン代替音コード、およびＤＴＭＦショートカットキー情報をサービス提供システムに伝送する（段階５０５）。
【００８７】
サービス提供システムは、サービスＩＰサーバーから受信したデータを分析して発信者によるサービス要求を検出する。その後、サービス提供システムは、サービス提供システムと連動して本発明によるサービスを提供するＣＰサーバーに顧客情報および音源情報を伝送する（段階５０７）。この時、ＣＰサーバーは、それを発信者の特定付加サービスに対する音源変更要求信号と認識し、発信者の特定付加サービスに対するサービス設定情報を変更する（段階５０９）。発信者によって変更要請されたサービスがリングバックトーン代替音サービスであれば、ＣＰサーバーはＳＣＰに発信者のリングバックトーン代替音に対する音源変更を要請する（段階５１１）。その後、サービス提供システムは、発信者に音源変更結果をＳＭＳで知らせる（段階５１３）。この時、発信者が該当サービスに未加入状態であれば、前記第１実施例で説明したように、サービス提供システムは、ＷＩＳＥ（ＣＳ）に発信者に対する新規顧客登録を要請して、発信者を該当サービスに自動加入させた後、その加入内容とともに音源変更結果をＳＭＳで知らせることができる。通話後に、発信者は、ＳＭＳのコールバック番号またはＵＲＬ住所を通じてＡＲＳに接続して、サービス加入、音源聴取および音源変更を確認することができる。
【００８８】
このように、本発明の第１実施例によるサービス提供システムは、前述したリングバックトーン代替音サービスＭＣＰから歌手名および曲名などの音源情報を受信し、本サービスのＣＰサーバーに、それに相応する音源コードを要請して得た後、前述した付加サービス提供ＭＣＰに音源変更を要請せずに、ＣＰサーバー自体で該当音源コードを抽出してサービス設定情報を変更して、本発明によるサービスを提供することができる。この時、ＣＰサーバーは、各リングバックトーン代替音サービスＭＣＰの音源情報を含み、付加サービス提供ＭＣＰのサービス提供機能を含む。特に、ＣＰサーバーは、リングバックトーン代替音サービスＭＣＰのリングバックトーン代替音源に相応する音源コードを利用して付加サービス提供ＭＣＰから提供する各種付加サービスの音源コードを互いに参照するように作成されたマッピングテーブルを含む。マッピングテーブルの情報は各ＭＣＰから定期的にアップデートされる。
【００８９】
図６は本発明の第１実施例によるサービスの信号処理手順を示す信号流れ図である。
【００９０】
図６を参照すれば、本発明は、ＣＰサーバーが各付加サービスを提供する複数のＭＣＰの機能を含むようになった場合、前述した第１実施例の場合でより短縮した手順にしたがって本発明によるサービスを提供することができる。具体的に、発信者がリングバックトーン代替音サービスを加入した着信者に発信すれば、リングバックトーン代替音サービスシナリオによって、発信者は着信者のリングバックトーン代替音を受信する（段階６０１）。この時、着信者のリングバックトーン代替音が気に入って自分のサービス音源に変更することを希望する場合、発信者は発信端末でサービス音源ショートカットキーを入力する（段階６０３）。サービスＩＰサーバーは該当ショートカットキーを感知し、現在サービスのために収集した情報である発信者電話番号（発信者ＭＩＮ）、着信者電話番号（着信者ＭＩＮ）、リングバックトーン代替音コード、およびＤＴＭＦショートカットキー情報をサービス提供システムに伝送する（段階６０５）。
【００９１】
サービス提供システムは、サービス提供システムと連動して、本発明によるサービスを提供するＣＰサーバーに、音源を変更しようとする付加サービスで使用する音源コードを要請する（段階６０７）。この時、ＣＰサーバーは、サービス提供システムから受信した顧客情報およびリングバックトーン代替音コードをマッピングテーブルに適用して音源コードを抽出した後、サービス提供システムに音源コードを伝送する（段階６０９）。そして、サービス提供システムは、受信した音源コードを利用して発信者が変更要請した付加サービスを提供する付加サービス提供ＭＣＰに音源変更を要請する（段階６１１）。
【００９２】
サービス提供システムから音源変更要求信号を受信した付加サービス提供ＭＣＰは、発信者に対して設定されたサービス設定情報を変更する（段階６１３）。この時、変更しようとする音源がリングバックトーン代替音源であれば、付加サービス提供ＭＣＰは、ＳＣＰに発信者のリングバックトーン代替音に対する音源変更を要請する（段階６１５）。その後、サービス提供システムは、発信者に音源変更結果をＳＭＳで知らせることができる。この時、発信者が該当サービスに未加入状態であれば、前記実施例で説明したように、サービス提供システムは、ＷＩＳＥ（ＣＳ）に発信者に対する新規顧客登録を要請して発信者を該当サービスに自動的に加入させた後、その加入内容とともに音源変更結果をＳＭＳで知らせることができる。通話後に、発信者はＳＭＳのコールバック番号またはＵＲＬ住所を通じてＡＲＳに接続して、サービス加入、音源聴取および音源変更を確認することができる。
【００９３】
このように、本発明の第１の実施例によるサービス提供システムは、前述したリングバックトーン代替音サービスＭＣＰから歌手名および曲名などの音源情報を受信せずに、ＣＰサーバーに顧客情報および着信者のリングバックトーン代替音コードに相応する音源コードを要請して得た後、前述した付加サービス提供ＭＣＰに音源変更を要請するようにすることができる。この時、ＣＰサーバーは、各リングバックトーン代替音サービスＭＣＰの音源情報を含む。特にＣＰサーバーは、顧客情報およびリングバックトーン代替音サービスＭＣＰのリングバックトーン代替音コードを利用して付加サービス提供ＭＣＰから提供する各種付加サービスの音源コードをマッピングすることができるマッピングテーブルを含む。マッピングテーブルの情報は、少なくとも着信側ＭＣＰおよび発信側ＭＣＰから定期的にアップデートされる。
【００９４】
図７は本発明の望ましい第１実施例によるＣＰサーバーを説明するための図である。
【００９５】
図７を参照すれば、本発明によるＣＰサーバー２６１は、各通信網事業者にコンテンツを提供する複数のＭＣＰサーバー１３１、１３３、１３５、１３７からサービス提供のための音源情報および音源コードを随時登録／アップロード（ｕｐｌｏａｄｉｎｇ）される。この時、ＣＰサーバー２６１は、各通信網で使用するサービス音源に対する情報をテーブルに作成して複数のＭＣＰまたは複数の通信網内の相違なるサービス音源を実質的に同一音源に相互に変換することができるマッピングテーブル７０１を作成して保管する。
【表１】
2007531343.tif 000003
【００９６】
このように、本発明によるＣＰサーバーは、例えば表１のような音源コードの変換のためのマッピングテーブル（Ｍａｐｐｉｎｇ  Ｔａｂｌｅ）を含むことで、サービス提供システム、リングバックトーン代替音サービスＭＣＰおよび付加サービス提供ＭＣＰと連動して、例えば発信者が着信者のリングバックトーン代替音を自分の付加サービスの音源として利用するようにする。
【００９７】
図８は、本発明の望ましい第１実施例による発信者が、携帯電話発信中に、ＤＴＭＦショートカットキーを用いて自分のリングバックトーン代替音源、あるいは発信者がＷＥＢ／ＷＡＰ（Ｍｅ）またはＡＲＳシステムを通じて指定しておいたタイトル曲を着信者の付加サービス音源に設定するためのサービスの信号処理手順を示す信号流れ図である。図９は本発明の望ましい第１実施例によるサービスの処理手順を概略的に示す図である。本実施例においては、発信者が電話発信中に自分が予め設定した音源、または自分のリングバックトーン代替音を着信者の付加サービスの音源としてプレゼントする方法について説明する。
【００９８】
図８および図９を参照すれば、発信者がリングバックトーン代替音サービスに加入されている着信者に発信すれば、発信者は、着信者のリングバックトーン代替音サービスシナリオによってそのリングバックトーン代替音を受信する（段階８０１）。この時、発信者は自分が予め設定した特定音源（以下‘タイトル曲’という）または自分のリングバックトーン代替音を着信者の付加サービス音源としてプレゼントすることを希望する場合に、発信端末でサービス音源ＤＴＭＦショートカットキーを押す（段階８０３）。例えば、サービス音源ＤＴＭＦショートカットキーは、リングバックトーン代替音プレゼントのためのショートカットキー‘１＊’、通話背景音プレゼントのためのショートカットキー‘２＊’、ベル音源プレゼントのためのショートカットキー‘３＊’、音楽メール音源プレゼントのためのショートカットキー‘４＊’、ＭＯＤ音源プレゼントのためのショートカットキー‘５＊’、およびＶＯＤ音源プレゼントのためのショートカットキー‘６＊’を含む。
【００９９】
発信端末からサービス音源ショートカットキーが入力されれば、サービスＩＰサーバーは、該当ショートカットキーを感知し、現在のリングバックトーン代替音サービスのために収集した情報である発信者電話番号（発信者ＭＩＮ）、着信者電話番号（着信者ＭＩＮ）、リングバックトーン代替音コードおよびＤＴＭＦショートカットキー情報などをサービス提供システムに伝送する（段階８０５）。サービス提供システムは、本発明によるサービス提供装置としてゲートウェイ（Ｇ／Ｗ）を含む。
【０１００】
サービス提供システムは、本サービスを提供するために連動するＣＰサーバーに発信者のタイトル曲情報を含む第１サービス情報を要請しながらプレゼント登録を要求する（段階８０７）。そして、ＣＰサーバーから第１サービス情報を受信する（段階８０９）。発信者のタイトル曲が登録されていれば、サービス提供システムは着信者に音源設定要請をＳＭＳで知らせる（段階８１１）。
【０１０１】
発信者のタイトル曲が登録されていなければ、サービス提供システムは、発信者のリングバックトーン代替音サービスＭＣＰに発信者情報を伝送して、リングバックトーン代替音サービスＭＣＰから発信者のリングバックトーン代替音の歌手名および曲名を受信する（段階８１３、段階８１５）。そして、サービス提供システムはＣＰサーバーにプレゼントサービスで使用する前記歌手名および曲名の音源コードを含む第２サービス情報を要請しながらプレゼント登録を要求する（段階８１７）。そして、ＣＰサーバーから第２サービス情報を受信する（段階８１９）。その後、サービス提供システムは着信者に音源プレゼントによる設定要請をＳＭＳで知らせる（段階８２１）。着信者は、ＣＰＡＲＳに接続して音源聴取および音源設定／変更をする（段階８２３、段階８２５）。この時、着信者が、例えばリングバックトーン代替音サービスの非加入者であれば、着信者はＣＰＡＲＳの案内に従って加入することも可能である。
【０１０２】
このように、発信端末加入者は前記のような過程を通じて自分のタイトル曲または自分のリングバックトーン代替音源を着信者の付加サービスの音源としてプレゼントする。すなわち、本発明によるサービス提供システムは、発信端末加入者のサービス要求ショートカットキーに相応して着信者の特定付加サービスの音源を設定準備し、着信者がＣＰＡＲＳを通じて接続して非常に簡便に発信者からプレゼント受けた音源を自分の特定付加サービスの音源に設定することができる。また、着信者がサービス未加入者の場合、接続したＣＰＡＲＳの案内に従ってサービス加入も簡便に行える。一方、発信者と着信者が加入した通信網事業者が相違した場合には、通信網事業者間に連動がなければならない。この場合について以下に具体的に説明する。
【０１０３】
図１０は本発明の第１実施例による発信者が携帯電話発信中にＤＴＭＦショートカットキーを用いてほかの通信網の着信者のリングバックトーン代替音源を自分の付加サービス音源に設定するサービスを説明するための図である。本実施例の理解のために、図１０には番号（１）〜（１１）が表示されている。
【０１０４】
図１０を参照すれば、発信者がリングバックトーン代替音サービスを加入した着信者に発信すれば、リングバックトーン代替音サービスシナリオによって発信者は着信者のリングバックトーン代替音を受信する。この時、着信者のリングバックトーン代替音が気に入って自分のサービス音源への変更を希望する場合、（１）発信者は、発信端末で、移動通信事業者間に協議されたサービス音源ＤＴＭＦショートカットキー、例えばリングバックトーン代替音変更のために、‘１＃’を入力する。すると（２）着信者が加入した通信事業者網（第１通信事業者網）内のサービスＩＰサーバーは該当ショートカットキーを感知する。そして、（３）サービスＩＰサーバーは、現在サービスのために収集した情報である発信者電話番号（発信者ＭＩＮ）、着信者電話番号（着信者ＭＩＮ）、リングバックトーン代替音コードＤＴＭＦショートカットキー情報を第１通信事業者網内の第１サービス提供システムに伝送する。
【０１０５】
ついで、（４）サービスＩＰサーバーから収集情報を受信した第１サービス提供システムは、サービスＩＰサーバーから受信したデータを分析（ＤＴＭＦキー分析）して着信者のリングバックトーン代替音ＭＣＰ（第２ＭＣＰ）に伝送する。第２ＭＣＰは、該当リングバックトーン代替音コードの歌手名および曲名を抽出して第１サービス提供システムに伝送する。その後、（５）第１サービス提供システムは、発信者が加入した通信事業者網（第２通信事業者網）内の第２サービス提供システムに収集情報（発信者ＭＩＮ／着信者ＭＩＮを含む発信者／着信者情報）と着信者のリングバックトーン代替音の歌手名および曲名を伝送する。
【０１０６】
ついで、（６）第２サービス提供システムは、該当サービスのＭＣＰ［例えば、発信者のリングバックトーン代替音ＭＣＰ（第１ＭＣＰ）］と連動してサービス加入有無および音源情報を伝送して、着信者のリングバックトーン代替音に対する歌手名および曲名の音源コードを要請する。そして、（７）第２サービス提供システムは、第２通信事業者網内のＣＰサーバーに該当歌手名および曲名の音源コードを含む音源情報を伝送して、発信者の付加サービスに使用する新しい音源コードを受信する。その後、（８）第２サービス提供システムは、発信者情報および受信した新しい音源コードを利用して、第１ＭＣＰにサービス音源変更を要請する。発信者がサービス未加入者である場合、サービス提供システムは発信者に対するリングバックトーン代替音サービス加入を自動的に処理する。そして、（９）第１ＭＣＰは、ＳＣＰサーバーに発信端末加入者の音源変更を要請する。また、（１０）第２サービス提供システムは、課金精算のために、ＩＤＲサーバーに課金情報を送った後、音源変更結果をＳＭＳで発信端末に知らせる。この時、発信者が該当サービスに未加入状態であれば、第２サービス提供システムは、発信者を該当サービスに自動で加入させた後、その加入および変更内容を一緒にＳＭＳで発信端末に知らせる。そして、（１１）発信者は、通話後に、ＣＰＡＲＳに接続して音源聴取および音源変更を確認することができる。
【０１０７】
図１１は、本発明の第１実施例による発信者が携帯電話発信中にＤＴＭＦショートカットキーを用いて、自分が予め設定したタイトル曲またはリングバックトーン代替音をほかの通信網着信者の付加サービス音源としてプレゼントするサービスを説明するための図である。本実施例の理解のために、図１１には番号（１）〜（１３）が表示されている。
【０１０８】
図１１を参照すれば、発信者がリングバックトーン代替音サービスに加入した着信者に発信すれば、リングバックトーン代替音サービスシナリオによって発信者は着信者のリングバックトーン代替音を受信する。この時、（１）発信者は自分がＷＥＢ／ＭＥ（ＷＡＰ）またはＡＲＳシステムを通じて設定しておいたタイトル曲などの特定音源またはリングバックトーン代替音を着信者の付加サービス音源としてプレゼントすることを希望する場合に、発信端末でサービス音源ショートカットキー、例えばリングバックトーン代替音変更のために‘１＊’を入力する。すると、（２）着信者が加入した通信事業者網（第１通信事業者網）内の第１サービスＩＰサーバーは該当ショートカットキーを感知する。そして、（３）第１サービスＩＰサーバーは、現在サービスのために収集した情報である発信者電話番号（発信者ＭＩＮ）、着信者電話番号（着信者ＭＩＮ）、リングバックトーン代替音コードを第１通信網事業者網内の第１サービス提供システムに伝送する。
【０１０９】
ついで、（４）第１サービス提供システムは、第１サービスＩＰサーバーから受信したデータを発信者が加入した通信事業者網（第２通信事業者網）内の第２サービス提供システムに伝送する。（５）第２サービス提供システムは、第２通信事業者網内の第２ＣＰサーバーに発信者のタイトル曲情報を要請して受信する。そして、発信者のタイトル曲が登録されていれば、（７）第２サービス提供システムは、第１サービス提供システムに発信者の音源情報を伝送する。
【０１１０】
ついで、（８）第１サービス提供システムは、第１通信事業者網内の第１ＣＰサーバーに発信者のタイトル曲情報およびプレゼント登録を要請して該当音源に対する音源コードを受信する。そして、（９）第１サービス提供システムは、音源設定要請または音源プレゼント受信に対するメッセージを短文メッセージサービスで着信者に知らせる。その後、（１０）第１サービス提供システムは、第２サービス提供システムに音源プレゼントが完了したという情報を伝送する。（１１）短文メッセージを受信した着信者は、第１通信事業者網内のＣＰＡＲＳに接続して、サービス加入、音源聴取および音源設定を行うことができる。
【０１１１】
一方、前記過程（５）以後に、発信者のタイトル曲が登録されていなければ、（６）第２サービス提供システムは、第２通信事業者網内の発信側ＭＣＰに発信者情報を伝送して、発信者のリングバックトーン代替音の歌手名および曲名を受信する。そして、第２サービス提供システムは、第２通信事業者網内のＣＰサーバーに該当歌手名および曲名を含む音源情報を伝送して、付加サービスに使用すべき音源コードを受信する。その後、第２サービス提供システムは、発信者情報および受信した音源コードを利用して発信側ＭＣＰに音源変更を要請する。以下、前述した（７）〜（１１）の手順が同一に実行される。
【０１１２】
また、前記の過程（８）で、発信者が設定要請した着信者の付加サービスがリングバックトーン代替音であれば、（１２）第１ＣＰサーバーは、着信側ＭＣＰ、ここでは着信側のリングバックトーン代替音ＭＣＰに着信者のリングバックトーン代替音に対する音源設定／変更を要請する。すると、（１３）着信側ＭＣＰはさらに第１通信事業者網内の第１ＳＣＰサーバーに着信者のリングバックトーン代替音源に対する設定／変更を要請する。
【０１１３】
図１２は本発明の望ましい第１実施例による音源変更サービスの加入手順を示す信号流れ図である。
【０１１４】
図１２を参照すれば、発信端末加入者が本発明による通信付加サービス（音源変更サービス）に対する加入を要請（段階１２０１）すれば、サービス加入有無が加入者データベース（ＤＢ）に記憶することができる。その後、加入者ＤＢは、発信端末加入者が音源変更サービスに加入する時に提供した、少なくとも発信端末識別子を含むサービス加入情報をホーム位置登録機（ＨＬＲ）に伝送する（段階１２０３）。ＨＬＲは、受信したサービス加入情報に基づいて該当発信端末加入者のプロファイルに音源変更サービスを設定する（段階１２０５）。また、加入者ＤＢは、本発明による音源変更サービスを申請した発信端末加入者の加入者情報をサービス提供装置に伝送する（段階１２０７）。サービス提供装置は、受信した加入者情報を利用して音源変更サービスコードを設定する（段階１２０９）。前記音源変更サービスコードは、使用者が設定した少なくとも一つの加入者情報に相応する。
【０１１５】
図１３は本発明の望ましい第１実施例による音源変更サービスを用いる方法を示す図である。
【０１１６】
図１３を参照すれば、発信端末加入者は自分の発信端末に音源変更サービスのためのＤＴＭＦショートカットキーを設定する。すなわち、自分の少なくとも一つの付加サービス音源を着信者のリングバックトーン代替音に変更するサービス（以下‘第１音源変更サービス’という）に利用するために、ショートカットキーを設定する。例えば、第１音源変更サービスのためのショートカットキーはリングバックトーン代替音サービスの音源を着信者のリングバックトーン代替音源に変更するためのショートカットキー‘１＃’と、ベル音の音源を着信者のリングバックトーン代替音源に変更するためのショートカットキー‘２＃’と、通話背景音の音源を着信者のリングバックトーン代替音源に変更するためのショートカットキー‘３＃’と、音楽メールの音源を着信者のリングバックトーン代替音源に変更するためのショートカットキー‘４＃’と、ＭＯＤ（Ｍｕｓｉｃ  Ｏｎ  Ｄｅｍａｎｄ）の音源を着信者のリングバックトーン代替音源に変更するためのショートカットキー‘５＃’と、ＶＯＤ（Ｖｉｄｅｏ  Ｏｎ  Ｄｅｍａｎｄ）の音源を着信者のリングバックトーン代替音源に変更するためのショートカットキー‘６＃’とを含む。
【０１１７】
また、発信端末加入者は、相手の着信端末に音源変更サービスを設定またはプレゼントするためのショートカットキーを設定する。すなわち、発信端末加入者は、着信者の少なくとも一つの付加サービス音源を自分のタイトル曲またはリングバックトーン代替音としてプレゼントするためのサービス（以下‘第２音源変更サービス’という）に利用するためにショートカットキーを設定する。例えば、第２音源変更サービスのためのショートカットキーは、着信者のリングバックトーン代替音サービスの音源を発信者のタイトル曲またはリングバックトーン代替音源に設定するためのショートカットキー‘１＊’と、着信者のベル音の音源を発信者のタイトル曲またはリングバックトーン代替音源に設定するためのショートカットキー‘２＊’と、着信者の通話背景音の音源を発信者のタイトル曲またはリングバックトーン代替音源に設定するためのショートカットキー‘３＊’と、着信者の音楽メールの音源を発信者のタイトル曲またはリングバックトーン代替音源に設定するためのショートカットキー‘４＊’と、着信者のＭＯＤ（Ｍｕｓｉｃ  Ｏｎ  Ｄｅｍａｎｄ）の音源を発信者のタイトル曲またはリングバックトーン代替音源に設定するためのショートカットキー‘５＊’と、着信者のＶＯＤ（Ｖｉｄｅｏ  Ｏｎ  Ｄｅｍａｎｄ）の音源を発信者のタイトル曲またはリングバックトーン代替音源に設定するためのショートカットキー‘６＊’とを含む。
【０１１８】
このように、本発明は、音源変更サービスを利用するために、発信端末にＤＴＭＦショートカットキーを定義する。一方、このようなショートカットキーは、サービス定義によって追加および変更することができる。前述した付加サービスは、発信端末加入者または着信端末加入者が少なくとも一つの特定通信事業者に加入した少なくとも一つの付加サービスを含む。付加サービスに対する設定情報は該当コンテンツ提供者またはマスターコンテンツ提供者のデータベースに記憶されるかまたはＳＣＰのようなデータベースシステムに記憶されることができる。例えば、付加サービス設定情報は下記の表２のように発信端末加入者または着信端末加入者に対して設定される。
【表２】
2007531343.tif 000004
【０１１９】
表２に示すように、発信端末加入者または着信端末加入者がリングバックトーン代替音サービス、ベル音サービス、通話背景音サービス、カラオケサービス、音楽メールサービス、モーニングコールサービス、ＭＯＤサービス、ＶＯＤサービスなどに加入すれば、それに対する設定情報がサービス提供装置またはコンテンツ提供者サーバーなどに記憶される。ベル音サービス、カラオケサービスおよび音楽メールサービスは、別途のサービス加入なしに使用が可能である。このような付加サービスは、本発明による音源変更サービスによって発信端末加入者が発信端末のショートカットキーを押すだけで、非常に簡便に設定またはプレゼントすることができる。
【０１２０】
図１４は本発明の望ましい第１実施例によるタイトル曲（Ｔｉｔｌｅ  Ｓｏｎｇ）を説明するための図である。
【０１２１】
図１４を参照すれば、発信端末加入者は、音源変更サービスの音源管理のためのインターネット個人空間１４０１などのタイトル曲管理手段を通じて自分のタイトル曲を設定し、これを利用して本発明による音源変更サービスを利用することができる。例えば、発信端末加入者は、サービス提供システムから提供するタイトル曲管理手段によって自分のタイトル曲をＷＥＢ／ＷＡＰ（Ｍｅ）またはＡＲＳシステムを通じて登録管理しながら自分のタイトル曲を着信者の付加サービスの音源としてプレゼントすることができる。一方、タイトル曲はサービス種類別に指定できるようにして、一つである場合、代表タイトル曲に設定し、複数である場合、各サービス別に指定できるように設定することができる。例えば、タイトル曲が二つまたはその以上であれば、発信端末加入者は、音源変更サービスに対してタイトル曲に優先順位を付与するかまたは時間帯別にまたは電話番号局番別に区分してタイトル曲を設定することができ、サービス別にタイトル曲を設定することができる。本実施例においては、第１タイトル曲１４０３および第２タイトル曲１４０５が登録され、第１タイトル曲１４０３にサービス優先順位が設定されている。また、タイトル曲がいくつかになっている場合、優先順位はサービス加入顧客によって設定および変更が可能である。
【０１２２】
このように、発信端末加入者は、有線インターネット、無線インターネットおよび自動応答サービスシステム（ＡＲＳシステム）などを利用して自分のタイトル曲を選択／聞き取り／管理することができる。また、このようなタイトル曲管理システムを利用して着信者に自分の音源を簡便にプレゼントすることができる。また、本発明は、発信端末加入者として本発明による音源変更サービスの未加入者も自動加入と同時に本サービスを利用することができる。このような場合、未加入者には短文メッセージ通報などのような別途の確認過程を行うことが望ましい。
【実施例２】
【０１２３】
図１５は本発明の望ましい第２実施例によるサービスを適用するための通信ネットワークの構成を概略的に示す図である。
【０１２４】
図１５を参照すれば、本発明の第２実施例による通信ネットワークは、少なくとも、通信網を構成する要素としてＭＳＣ１５０３およびホーム位置登録機（ＨＬＲ）を含む。また、通信ネットワークは、リングバックトーン代替音サービス、背景音楽サービスなどの特定付加サービスを提供するために、リングバックトーン代替音／通話背景音加入者およびリングバックトーン代替音／通話背景音コードを管理するＳＣＰ１５１１、および通話連結音を発信者に再生する知能周辺装置（ＩＰ）１５０９を含む。また、通信ネットワークは、各サービス別に、それぞれの付加サービスの音源を登録してそのファイルを管理する複数のＭＣＰ１５３１、１５３３、１５３５、１５３７を含む。また、通信ネットワークは、ＩＰ１５０９、本発明による通信付加サービス［以下‘プッシュサービス’という］を提供するための知能周辺装置であるサービスＩＰサーバー１５００、各付加サービスの提供のためのＭＣＰ１５３１〜１５３７、および本発明によるサービスを提供するための付加装備であるサービス提供ＭＣＰシステム１６６０と連動しながら基本機能を実行する。本明細書で、音源プッシュサービスは、少なくとも発信者が自分の付加サービス音源を着信者の付加サービス音源に強制設定するサービスを含む。
【０１２５】
具体的に、本発明による通信ネットワークは、少なくとも一つの移動通信端末１５０１を管理する交換器（ＭＳＣ）１５０３、サービス交換器（ＳＳＰ）１５０５、移動通信交換網／個人通信交換網（ＭＳＣ／ＰＣＸ  Ｎｅｔｗｏｒｋ）１５０７を通じて交換器１５０３およびサービス交換機１５０５に結合された知能周辺装置（ＩＰ）１５０９、サービスＩＰサーバー１５００、およびＩＰ１５０９およびサービスＩＰサーバー１５００と結合されたサービス制御器（ＳＣＰ）１５１１を含む。ＳＣＰ１５１１は、顧客管理網の一種であるＷＩＳＥ網１５１３を通じて、顧客管理サーバーの一種であるＷＩＳＥ（ＣＳ）１５１５に結合され、ＮＭＳ網１５１７を通じて網管理システム（ＮＭＳ  Ｓｙｓｔｅｍ）１５１９に結合され、ＳＭＳＣ網１５２１を通じてＳＭＳＣ１５２３に結合され、ＩＤＲ網１５２５を通じてインターネット詳細記録システム（ＩＤＲ  Ｓｙｓｔｅｍ）１５２７に結合される。
【０１２６】
また、通信ネットワークは、ＳＣＰ１５１１に結合される複数のマスターコンテンツ提供者（ＭＣＰ）１５３１、１５３３、１５３５、１５３７を含む。ＭＣＰ１５３１〜１５３７は、それぞれのサービスと関連して自動応答システム（ＡＲＳ）１５３２、１５３４、１５３６、１５３８にそれぞれ結合される。ＡＲＳ１５３２〜１５３８は、移動通信交換網または公衆交換電話網（ＭＳＣ／ＰＳＴＮ）１５４１を通じて移動通信端末１５４３と有線電話機１５４５に結合される。また、ＭＣＰ１５３１〜１５３７とＡＲＳ１５３２〜１５３８は、インターネット１５４７を通じて少なくとも一つのインターネット使用者端末１５４９に結合される。
【０１２７】
また、通信ネットワークは、本発明による電話発信中にＤＴＭＦショートカットキーを用いて発信者が設定しておいたサービス音源またはリングバックトーン代替音を着信者の付加サービスの音源としてプッシュするサービスを提供する音源プッシュサービス提供システム１６００（以下‘サービス提供システム’という）を含む。サービス提供システム１６００は、サービスＩＰサーバー１５００、ＳＣＰ１５１１、ＭＣＰ１５３１〜１５３７などに結合される。サービス提供システム１６００は、基本的な装置としてゲートウェイ（Ｇ／Ｗ：Ｇａｔｅｗａｙ）を含む。例えば、サービス提供システム１６００は、図１５に示すように、第１ゲートウェイ１６００Ａおよび第２ゲートウェイ１６００Ｓを含む。このような場合、第１ゲートウェイ１６００Ａと第２ゲートウェイ１６００Ｓはアクティブ−アクティブ構造のサーバーとして動作するかまたはアクティブ−スタンバイ（Ａｃｔｉｖｅ−Ｓｔａｎｄｂｙ）構造のサーバーとして動作する。
また、サービス提供システム１６００は、図１５のように、第１ゲートウェイ１６００Ａおよび第２ゲートウェイ１６００Ｓに結合されるＲＡＩＤ（Ｒｅｄｕｎｄａｎｔ  Ａｒｒａｙ  ｏｆ  Ｉｎｅｘｐｅｎｓｉｖｅ  Ｄｉｓｋｓ）１６５１を含むことができる。ＲＡＩＤ１６５１は、同一な重要データを多くの記憶装置に重複して格納する装置を言う。ＲＡＩＤ１６５１を利用すれば、データの入出力作業が均衡を成して重畳して全体的なシステムの性能を向上させることができる。
【０１２８】
また、サービス提供システム１６００は、第１ゲートウェイ１６００Ａおよび第２ゲートウェイ１６００Ｓに結合されるＯＭＳ（ＯＡＭ  Ｓｅｒｖｅｒ：Ｏｐｅｒａｔｉｏｎ、Ａｄｍｉｎｉｓｔｒａｔｉｏｎ  ａｎｄ  Ｍａｉｎｔｅｎａｎｃｅ  Ｓｅｒｖｅｒ）１６５３を含むことができる。ＯＭＳ１６５３は、遠隔地でシステムを運営、管理して料金精算および統計処理作業を行う機能を含む。ＯＭＳ１６５３は、運営者の便宜のために、グラフィック使用者環境を提供する。ＯＭＳ１６５３は、サービス提供システム１６００を運用／管理するためのサーバーおよびクライアントで構成される。ＯＭＳ１６５３は、サービス提供システム１６００およびＲＡＩＤ１６５１などに対する形状管理、統計管理、運用管理および障害管理などを行うＯＡＭの役目を担当する。このために、ＯＭＳ１６５３は、後述するＣＰサーバー１６６１およびＣＰＡＲＳ１６６３との連動機能、ウェブ基盤のＯＡＭ機能、ＭＭＣ（Ｍａｎ  Ｍａｃｈｉｎｅ  Ｃｏｍｍｕｎｉｃａｔｉｏｎ）およびＣＬＩ（Ｃｏｍｍｏｎ  Ｌｉｎｅ  Ｉｎｔｅｒｆａｃｅ）処理機能、システム形状管理機能、マッピング（ｍａｐｐｉｎｇ）テーブルコード管理および統計照会機能、システム状態および障害管理機能、ＮＭＳとの連動機能などを含む。
【０１２９】
また、本発明の第２実施例による通信ネットワークは、ＳＣＰ１５１１、ＭＣＰ１５３１〜１５３７、サービス提供システム１６００などに結合されるコンテンツ提供者サーバー（ＣＰ  Ｓｅｒｖｅｒ）１６６１およびＣＰＡＲＳ１６６３を含む。ＣＰサーバー１６６１およびＣＰＡＲＳ１６６３は本発明によるサービスを提供するためのもので、本サービスを提供するためのサービス提供ＭＣＰシステム１６６０として使用されることができる。したがって、ＣＰサーバー１６６１およびＣＰＡＲＳ１６６３は広義でサービス提供システム１６００に含まれる。サービス提供ＭＣＰシステム１６６０は、インターネットに結合されたＷＥＢサーバー１６６５およびＷＡＰ／ＭＥサーバー１６６７を含む。ＣＰＡＲＳ１６６３は、移動通信網／公衆交換電話網１５５１を通じて少なくとも一つの電話端末１５５３に結合されることができる。
【０１３０】
前記ＣＰサーバー１６６１は、加入者がＤＴＭＦ信号を利用して自分のサービス音源を着信者のサービス音源としてプッシュした時、サービス提供システム１６００と連動して顧客情報と該当音源情報を利用して、サービス提供システム１６００から提供する発信者のサービス音源に相応するように着信者のサービス音源またはその音源コードを変更する役目を担当する。また、ＣＰサーバー１６６１は、サービス提供システム１６００との接続プロトコル処理部、音源プッシュサービスのための音源管理部、音源プッシュサービスの利用顧客管理部、サービス提供システム内の音源に対するコード管理部、ほかの事業者のサービス音源に対するサービス提供システム内のコード管理部、音源コードに対するサービス提供システムのアップデート機能部、音源コードＤＢ、音源プッシュサービスの利用加入者情報ＤＢ、外部ＣＰ／ＭＣＰ情報ＤＢおよび外部ＣＰ／ＭＣＰ音源コードＤＢを管理するデータベース管理部、バックアップ（Ｂａｃｋｕｐ）機能部、プロトコルメッセージ処理統計と事業者別音源コード変更統計およびシステム負荷率統計を管理する統計管理部、およびサービス提供システムの接続障害とシステム障害を管理する障害管理機能部を含む。
【０１３１】
前記ＣＰＡＲＳ１６６３は、着信端末加入者が音源プッシュサービスを通じて接続すれば、着信端末加入者のサービス音源を聞き取るか、その設定を確認するか、あるいは友達にプレゼントするなどのサービスを利用するようにする。このために、ＣＰＡＲＳ１６６３は、サービス提供システム１６００との連動機能、ＩＴＵ−Ｔ  Ｎｏ．７信号方式の移動通信交換器（ＭＳＣ）およびＲ２／ＰＲＩ信号方式のＰＳＴＮ交換器との連動機能、ＣＰサーバー１６６１との接続プロトコルを処理する第１接続プロトコル処理機能、既存のリングバックトーン代替音サービス、ベル音サービス、通話背景音サービス、カラオケサービス、音楽メールサービス、モーニングコールサービス、ＭＯＤ／ＶＯＤサービスを提供する少なくとも一つのＭＣＰとの接続プロトコルを処理する第２接続プロトコル処理機能、およびその他の外部ＭＣＰとの接続プロトコルを処理する第３接続プロトコル処理機能を含む。
【０１３２】
また、ＣＰＡＲＳ１６６３は、本発明による音源プッシュサービスの音源ダウンロードおよび音源管理機能、選択音源をほかの事業者顧客にプッシュすることとほかの事業者顧客の付加サービス音源コピーと網事業者間に連動するその他の付加サービスを含む付加サービス機能、選択音源の統計と呼処理統計およびシステム負荷率統計を含む統計機能、システム障害管理とＴＣＰ／ＩＰ連動障害処理のための障害管理機能を含む。また、ＣＰＡＲＳ１６６３は、ＣＰＡＲＳサーバー内でＩＴＵ−Ｔ  Ｎｏ．７信号方式の信号処理部（ＳＳ７  ＩＳＵＰ）およびＩＶＲ（Ｉｎｔｅｒａｃｔｉｖｅ  Ｖｏｉｃｅ  Ｒｅｓｐｏｎｓｅ）機能を処理する。
【０１３３】
一方、前述したサービスＩＰサーバー１５００は、今後の電子通信装備の技術進歩にしたがい、交換器（ＭＳＣ）１５０３またはサービス提供システム１６００内に搭載されることと予想される。したがって、本発明は、サービスＩＰサーバー１５００が独立した装置であるかまたは交換器１５０３またはサービス提供システム１６００内に搭載されたＩＰ機能部である場合を含む。
【０１３４】
図１６は本発明の望ましい第２実施例によるサービス提供装置を示すブロック図である。
【０１３５】
図１６を参照すれば、本発明の第２実施例によるサービス提供装置は、発信端末加入者が電話発信中にＤＴＭＦショートカットキーを用いて自分の付加サービス音源を着信者の付加サービス音源としてプッシュすることができるようにサービスする装置である。サービス提供装置１６００Ａは、基本的に、外部の少なくとも一つの知能周辺装置（ＩＰ）から使用者の信号を伝達される外部データ受信部、受信したデータを処理するためのデータ処理部、データベース処理部、ＳＭＳＣ（Ｓｈｏｒｔ  ｍｅｓｓａｇｅ  Ｓｅｒｖｉｃｅ  Ｃｅｎｔｅｒ）連動処理部、ＩＤＲ（Ｉｎｔｅｒｎｅｔ  Ｄｅｔａｉｌ  Ｒｅｃｏｒｄｉｎｇ）連動処理部、ＮＭＳ（Ｎｅｔｗｏｒｋ  Ｍａｎａｇｅｍｅｎｔ  Ｓｙｓｔｅｍ）連動処理部、サービス提供ＭＣＰシステム連動部、外部ＭＣＰ連動部、および処理した結果をほかのサーバーに伝達する外部データ伝送部を含む。本発明によるサービス提供装置１６００Ａは、ＩＰ、各付加サービスを提供する少なくとも一つのＭＣＰ、本発明による付加装備であるサービス提供ＭＣＰシステム、本発明による自動応答システムであるＣＰＡＲＳ、および有無線インターネット接続処理のためのＷＥＢ／ＷＡＰ（ＭＥ）サーバーと連動しながら基本機能を実行する。
【０１３６】
具体的に、サービス提供装置１６００Ａは外部データの送受信のための部分で、少なくとも一つのＩＰ５１０９に結合されるＩＰインターフェース１６０１、ＭＣＰ１５３１、１５３３、１５３５に結合されるＭＣＰインターフェース１６０３、ＣＰサーバー１６６１に結合されるＣＰサーバーインターフェース１６０５、ＳＭＳＣ１５２３に結合されるＳＭＳＣインターフェース１６０７、ＩＤＲ１５２７に結合されるＩＤＲインターフェース１６０９、ＷＡＰ／ＭＥプッシュサーバー１５５５に結合されるＷＡＰ／ＭＥプッシュサーバーインターフェース１６１１、ＷＡＰ／ＭＥゲートウェイ１５５７に結合されるＷｅｂインターフェース１６１３、およびＮＭＳ１５１９に結合される簡易網管理プロトコルエージェント（ＳＮＭＰ  Ａｇｅｎｔ：Ｓｉｍｐｌｅ  Ｎｅｔｗｏｒｋ  Ｍａｎａｇｅｍｅｎｔ  Ｎｅｔｗｏｒｋ  Ａｇｅｎｔ）１６１５を含む。前述したＳＭＳＣインターフェース１６０７は、新規加入による短文メッセージサービス通報（ＳＭＳ  Ｎｏｔｉｆｉｃａｔｉｏｎ）のためのインターフェースである。このために、ＳＭＳＣインターフェース１６０７はＳＭＰＰプロトコルを使用することができる。ＩＤＲインターフェース１６０９は、サービスの課金（精算）のために、ＩＤＲ１５２７と連動するインターフェースである。ＩＤＲインターフェース１６０９は各通信網事業者によって設定された規格に準ずる。
【０１３７】
また、サービス提供装置１６００Ａは、システム内のすべての作業を管理する作業管理者（Ｔａｓｋ  Ｍａｎａｇｅｒ）１６１７、作業管理者１６１７に結合されたデータベース１６２７、作業管理者１６１７に結合された共通ゲートウェイインターフェース（ＣＧＩ：Ｃｏｍｍｏｎ  Ｇａｔｅｗａｙ  Ｉｎｔｅｒｆａｃｅ）１６２９、およびシステムの可用性を高める高可用性モジュール（Ｈｉｇｈ  Ａｖａｉｌａｂｉｌｉｔｙ  Ｍｏｄｕｌｅ）１６３１を含む。作業管理者１６１７は、ＣＰサーバー１６６１またはＭＣＰ１５３１、１５３３、１５３５を通じてＳＣＰ１５１１に音源設定または音源変更を要請するための要請作業処理部（Ｒｅｑｕｅｓｔ  Ｐｒｏｃｅｓｓｉｎｇ  Ｔａｓｋ）１６１９、各ＭＣＰの相違なる音源コードを所望付加サービスの音源コードに変換するコード変換処理部（Ｃｏｄｅ  Ｃｏｎｖｅｒｓｉｏｎ  Ｔａｓｋ）１６２１、作業管理者１６１７によって実行された処理作業に対するログを記録するログ作業処理部（Ｌｏｇ  Ｔａｓｋ）１６２３、および作業管理者１６１７によって実行された処理作業に対する統計を処理する統計作業処理部（Ｓｔａｔｉｓｔｉｃｓ  Ｔａｓｋ）１６２５を含む。
【０１３８】
前記構成によって、本発明はサービス利用者に次のような利点を提供することができる。一つ目、本サービスに加入した発信端末加入者は、通話試しごとに着信者が設定しておいたリングバックトーン代替音聴取中にＤＴＭＦショートカットキーを用いて、発信者自分の少なくとも一つの付加サービス音源をリアルタイムで着信者の少なくとも一つの付加サービス音源に強制的に設定することができる。二つ目、本サービスに加入しない発信端末加入者は、通話試しごとにリングバックトーン代替音聴取中に特定ＤＴＭＦショートカットキーを押してリアルタイムで直ちにサービス加入および着信者に自分の音源をプッシュすることができる。この時、本サービス提供者は、短文メッセージサービスなどを通じて発信端末加入者からサービス加入確認を受けることが望ましい。三つ目、発信端末加入者は、通話試しごとにＤＴＭＦショートカットキーを用いて、自分が設定しておいたタイトル曲、リングバックトーン代替音、ベル音源、通話背景音、音楽メール音源などの付加サービス音源の中で少なくとも一つの音源を着信者の少なくとも一つの付加サービス音源としてプッシュして、着信者が自分の付加サービス音源としてすぐ使用することができる。
【０１３９】
また、本発明は、通信事業者に次のような効果を提供することができる。一つ目、移動通信事業者は、付加サービスの新規加入誘導および顧客増加による付加利益を生むことができる。二つ目、移動通信事業者、ＭＣＰおよびＣＰの場合は、顧客が自分の付加サービス音源に対して音源変更を頻繁に行える環境を提供することで、音源変更／再使用による付加収益を増大させることができる。三つ目、サービス加入方法および手順が分からなくて付加サービスの加入ができない顧客に対する新規加入誘導を増大させることができる。
【０１４０】
図１７は本発明の望ましい第２実施例による音源プッシュサービスの加入手順を示す信号流れ図である。
【０１４１】
図１７を参照すれば、発信端末加入者が本発明による付加サービス（音源プッシュサービス）に対する加入を要請すれば（段階１７０１）、サービス加入の有無が加入者データベース（ＤＢ）に記憶される。その後、加入者ＤＢは、発信端末加入者が音源プッシュサービスに加入する時に提供した、少なくとも発信端末識別子を含むサービス加入情報をホーム位置登録機（ＨＬＲ）に伝送する（段階１７０３）。ＨＬＲは、受信したサービス加入情報に基づいて該当発信端末加入者のプロファイルに音源プッシュサービスを設定する（段階１７０５）。また、加入者ＤＢは、本発明による音源プッシュサービスを申請した発信端末加入者の加入者情報をサービス提供装置に伝送する（段階１７０７）。サービス提供装置は、受信した加入者情報を利用して音源プッシュサービスコードを設定する（段階１７０９）。前記音源プッシュサービスコードは、使用者が設定した少なくとも一つの加入者情報に相応する。このように、発信端末加入者は、有無線インターネット、ＡＲＳシステムおよび代理店／顧客センターなどを通じて本サービスに加入して、自分のサービス音源を着信者のサービス音源としてプッシュすることができる。
【０１４２】
図１８は本発明の望ましい第２実施例による音源プッシュサービスのためのサービス音源を設定する過程を示す信号流れ図である。本実施例においては、本サービスの自動加入手順について説明する。
【０１４３】
図１８を参照すれば、発信者が着信者に電話をかけた後、着信者のリングバックトーン代替音を聞き取る中（段階１８０１）に、発信者は自分の設定した付加サービス音源を着信者が既設定した付加サービスの音源としてプッシュするために、発信端末でＤＴＭＦショートカットキーを押す。この時、発信端末のＤＴＭＦショートカットキー信号は、通信ネットワーク内のＭＳＣを通じてサービスＩＰサーバーに伝達される（段階１８０３）。サービスＩＰサーバーは、受信したＤＴＭＦ信号を知能網サービス呼として認識して前記ＤＴＭＦショートカットキー信号を検出する（段階１８０５）。その後、サービスＩＰサーバーは、発信端末に相応する発信端末識別子、着信端末に相応する着信端末識別子、前記リングバックトーン代替音に対する音源情報および前記ＤＴＭＦショートカットキー情報を含む収集情報をサービス提供システムに伝送する（段階１８０７）。
【０１４４】
サービス提供システムは、ＣＰサーバーに、発信者がプッシュサービスを通じて選択した付加サービスの音源有無および前記付加サービスの音源を要求する（段階１８０９）。ここで、ＣＰサーバーは、本発明によるサービスを提供するためのサービス提供ＭＣＰシステムを含む。ＣＰサーバーは、サービス提供システムから受信した発信端末識別子および着信端末識別子の顧客情報を含むデータを持って、発信者および着信者が本サービスに加入されているか否かを顧客データベースで検索する（段階１８１１）。発信者または着信者が本サービスに加入されていなければ、ＣＰサーバーは、通信事業者の顧客管理システム［ＷＩＳＥ（ＣＳ：ＣｕｓｔｏｍｅｒＣａｒｅＳｙｓｔｅｍ）］に発信者または着信者のサービス加入を要請する（段階１８１３）。そして、ＣＰサーバーは、サービス提供システムの要請に対して応答する（段階１８１５）。
【０１４５】
このように、本発明では、発信者または着信者が本サービスに加入されていない場合にも、サービス提供システムで自動的にサービス加入手順を実行する。このような過程によって、発信者はＷＥＢ／ＷＡＰ（ＭＥ）の有無線インターネットおよびＡＲＳシステムを通じて自分が設定した少なくとも一つの付加サービス音源、発信者自分のリングバックトーン代替音源または本事業者が提供する基本音源を着信者の少なくとも一つの付加サービス音源としてプッシュするかまたは強制的に設定することができる。
【０１４６】
図１９は本発明の望ましい第２実施例による音源プッシュサービスのためのショートカットキー定義を説明するための図である。
【０１４７】
図１９を参照すれば、発信端末加入者は、自分のタイトル曲、リングバックトーン代替音、ベル音、通話背景音、音楽メール、ＭＯＤ、ＶＯＤなどの付加サービスの音源を着信者の少なくとも一つの付加サービス音源としてプッシュするために、発信端末のショートカットキーを使用する。例えば、発信者が設定しておいた音源がサービス種類に対応するように設定されている場合、すなわち発信者がリングバックトーン代替音サービス音源、ベル音源、通話背景音源などのサービス音源をそれぞれ設定しておいた場合、音源プッシュサービスのためのショートカットキーは、発信者のリングバックトーン代替音サービス音源を着信者のリングバックトーン代替音源に設定するためのショートカットキー‘１＊’と、発信者のベル音源を着信者のベル音源に設定するためのショートカットキー‘２＊’と、発信者の通話背景音源を着信者の通話背景音源に設定するためのショートカットキー‘３＊’と、発信者の音楽メール音源を着信者の音楽メール音源に設定するためのショートカットキー‘４＊’と、発信者のＭＯＤ音源を着信者のＭＯＤ音源に設定するためのショートカットキー‘５＊’と、発信者のＶＯＤ音源を着信者のＶＯＤ音源に設定するためのショートカットキー‘６＊’とを使用することができる。
【０１４８】
また、発信者が設定しておいたサービス音源（タイトル曲）が一つの音源からなっているかあるいは発信者が自分のサービス音源を設定しておかないで自分の（発信者の）リングバックトーン代替音をタイトル曲（サービス音源）として使用する場合、音源プッシュサービスのためのショートカットキーは、発信者のサービス音源を着信者のリングバックトーン代替音源に設定するためのショートカットキー‘１＊’と、発信者のサービス音源を着信者のベル音源に設定するためのショートカットキー‘２＊’と、発信者のサービス音源を着信者の通話背景音源に設定するためのショートカットキー‘３＊’と、発信者のサービス音源を着信者の音楽メール音源に設定するためのショートカットキー‘４＊’と、発信者のサービス音源を着信者のＭＯＤ音源に設定するためのショートカットキー‘５＊’と、発信者のサービス音源を着信者のＶＯＤ音源に設定するためのショートカットキー‘６＊’とを使用することができる。
【０１４９】
前述したショートカットキーの定義および使用例を下記の表３に整理して示した。本発明による音源プッシュサービスのためのショートカットキーの定義またはサービスの定義はサービス運用によって変更されることができ、かつサービス追加によって拡張されることができる。また、発信端末加入者は、サービス運営者が許容する範囲内で自由に音源プッシュサービスに対するショートカットキーを変更設定することができる。
【表３】
2007531343.tif 000005
【０１５０】
表３に示すように、本発明による音源プッシュサービスは、発信者が電話発信中に発信端末で特定ＤＴＭＦショートカットキーを押して自分の付加サービス音源を発信者が選択した着信者の特定付加サービスの音源にその即時設定／変更することができる。例えば、発信者が電話発信中に発信端末でショートカットキー‘１＊’を押して音源プッシュサービスを要求すれば、音源プッシュサービスによって発信者が指定しておいたサービス音源が着信者の付加サービス音源としてプッシュされる。このような方法は、特に着信端末加入者が付加サービス加入およびサービス音源変更などの利用方法がよく分からない場合に一層有用に使用されることができる。
【０１５１】
図２０は本発明の望ましい第２実施例による音源プッシュサービスにおいて、有線インターネットを通じる本サービス加入、サービス音源設定および着信者にプッシュした音源リストを説明するための図である。図２１は本発明の望ましい第２実施例による音源プッシュサービスにおいて、無線インターネットを通じる本サービス加入、サービス音源設定および着信者にプッシュした音源リストを説明するための図である。
【０１５２】
図２０を参照すれば、本サービスに加入した顧客は、自分の付加サービス音源として少なくとも一つ以上を指定および管理することができる。例えば、第１ＭＣＰから提供するサービス音源を自分のサービス音源（タイトル曲）として指定することができる。各サービス別に多数のサービス音源を指定して使用する場合には、第１ＭＣＰから提供するリングバックトーン代替音（通話連結音）源、第２ＭＣＰから提供するベル音源、第３ＭＣＰから提供する通話背景音源、第４ＭＣＰから提供するモーニングコール音源、第５ＭＣＰから提供する音楽メール音源、第６ＭＣＰから提供するＭＯＤ／ＶＯＤ音源などの付加サービス音源をインターネットに結合された自分の記憶空間に記憶し、有無線インターネットまたはＡＲＳなどを利用して自分の記憶空間に記憶された付加サービスの音源を自分のホームページ２００１の方式で管理することができる。この時、顧客は該当音源をクリックすることで、有線インターネットを通じて自分の指定しておいたサービス音源を予め聞き取ることができる。また、本発明の第２実施例による音源プッシュサービスは、図２０のように、通信事業者が提供するホームページ２００１から伝送された付加サービス音源に対する日付、相手電話番号などを記録、格納することができる。このように、顧客によって指定されたサービス音源は、電話発信中またはリングバックトーン代替音聴取中にＤＴＭＦショートカットキーを用いてリアルタイムで着信者に着信者の付加サービス音源としてプッシュすることができるように使用される。
【０１５３】
ついで、図２１を参照すれば、本サービスに加入した顧客は、前述したように、自分の付加サービス音源として少なくとも一つのＭＣＰから提供するリングバックトーン代替音源、ベル音源、通話背景音源、モーニングコール音源、音楽メール音源、ＭＯＤ／ＶＯＤ音源の中で少なくとも一つの付加サービス音源を移動通信端末で接続することができる自分の記憶空間に記憶して管理することができる。ここで、記憶空間は、サービス提供者が加入者に提供する記憶装置内の所定空間を含む。そして、顧客は、発信端末のメニュー画面２１０１で、本発明のサービス加入、自分の少なくとも一つ以上のサービス音源設定、自分が着信者にプッシュしたサービス音源リスト、および本発明のサービス利用方法などのサービスを利用することができる。このように、顧客によって指定（設定）された少なくとも一つ以上のサービス音源は電話発信中またはリングバックトーン代替音聴取中にＤＴＭＦショートカットキーを用いてリアルタイムで着信者に着信者の付加サービス音源としてプッシュすることができるように使用される。
【０１５４】
図２２は本発明の望ましい第２実施例による音源プッシュサービスを示す信号流れ図である。図２３は本発明の望ましい第２実施例による音源プッシュサービスを概略的に示す図である。参考として、図２３には本発明の理解を助けるための番号が表示される。
【０１５５】
図２２および図２３を参照すれば、発信者がリングバックトーン代替音サービスに加入されている着信者に発信すれば、着信者はリングバックトーン代替音サービスシナリオによってそのリングバックトーン代替音を受信する（段階２２０１）。この時、発信者は自分が予め設定した付加サービス音源の中で少なくとも一つの音源を着信者の少なくとも一つの付加サービス音源としてプッシュすることを希望する場合に、発信端末でサービス音源ＤＴＭＦショートカットキーを押す（段階２２０３）。例えば、サービス音源ショートカットキーは、リングバックトーン代替音プッシュのためのショートカットキー‘１＊’、通話背景音プッシュのためのショートカットキー‘２＊’、ベル音源プッシュのためのショートカットキー‘３＊’、音楽メール音源プッシュのためのショートカットキー‘４＊’、ＭＯＤ音源プッシュのためのショートカットキー‘５＊’、およびＶＯＤ音源プッシュのためのショートカットキー‘６＊’を含む。
【０１５６】
発信端末からサービス音源ショートカットキーが入力されれば、サービスＩＰサーバーは、交換器（ＭＳＣ）から前記サービス音源ショートカットキーを受信する（段階２２０５）。そして、サービスＩＰサーバーはサービス音源ショートカットキーとして使用された特定ＤＴＭＦ信号を検出する（段階２２０７）。その後、サービスＩＰサーバーは、現在のリングバックトーン代替音サービスのために収集した情報である発信者電話番号（発信者ＭＩＮ）、着信者電話番号（着信者ＭＩＮ）、リングバックトーン代替音コードおよびＤＴＭＦショートカットキー情報などをサービス提供システムに伝送する（段階２２０９）。ここで、サービス提供システムは、本発明による第２実施例によるサービス提供装置としてゲートウェイ（Ｇ／Ｗ）を含む。
【０１５７】
サービス提供システムは、本サービスを提供するために連動するＣＰサーバーに発信者のタイトル曲情報および音源プッシュサービス情報を要求する（段階２２１１）。このような要求に応じて、ＣＰサーバーはデータベースを検索する（段階２２１３）。その後、タイトル曲が存在すれば、ＣＰサーバーはタイトル曲に対する音源情報を含む応答信号をサービス提供システムに伝送する（段階２２１５）。
【０１５８】
前記段階２２１３で発信者のタイトル曲が存在しなければ、ＣＰサーバーはタイトル曲が登録されていないことを知らせる応答信号をサービス提供システムに伝送する（段階２２１５）。発信者のタイトル曲が登録されていないことを確認したサービス提供システムは、発信者がＤＴＭＦショートカットキーを用いて選択した付加サービス（以下‘第１付加サービス’という）を提供する第１ＭＣＰに発信者情報を伝送して、第１付加サービスの音源に対する歌手名および曲名を受信する（段階２２１９）。その後、サービス提供システムは、ＣＰサーバーに、前記ＤＴＭＦショートカットキーによって選択された着信者の付加サービス（以下‘第２付加サービス’という）から使用する、前記歌手名および曲名に相応する音源コードを要求する（段階２２２１）。この時、音源プッシュサービスの対象となる着信者を自動でサービスに登録するサービス登録要請信号も一緒に伝送される（図１８参照）。サービス提供システムの要求に応じて、ＣＰサーバーは音源コードをサービス提供システムに伝送する（段階２２２３）。ここで、音源コードは、複数のＭＣＰの付加サービスに対する音源コード、歌手名および曲名が相互に参照できるように作成されたマッピングテーブルから抽出される。
【０１５９】
ついで、サービス提供システムは、第２付加サービスを提供する第２ＭＣＰに音源設定／変更要求信号を伝送する（段階２２２５）。音源変更要求信号は、発信者のタイトル曲に対する音源情報または第１付加サービスの音源コードおよび着信端末識別子などの着信者情報を含む。この時、第２付加サービスがリングバックトーン代替音サービスまたは通話背景音サービスであれば、第２ＭＣＰは前記音源変更要求信号をＳＣＰに伝送する（段階（２２２７）。その後、サービス提供システムは、第１付加サービス音源が第２付加サービスの音源としてプッシュされて設定されたことをＳＭＳＣの短文メッセージサービス（ＳＭＳ）を通じて着信端末に知らせる（段階２２２９、段階２２３１）。前記過程によって、発信者は電話発信中に非常に簡便にＤＴＭＦショートカットキーを用いて自分の付加サービス音源を着信者の付加サービス音源としてプッシュして設定する。一方、本実施例において、着信者は、ＣＰサーバーに結合されたＣＰＡＲＳに接続して音源聴取、音源情報確認および音源変更ができ、本サービスに対する新規加入および加入情報変更ができる。着信者が音源を変更する場合、その音源変更情報は該当ＭＣＰに伝送される。
【０１６０】
図２４は本発明の望ましい第２実施例による音源プッシュサービスを提供する過程について概略的に示す図である。図２４には本発明の理解を助けるための番号が表示されている。
【０１６１】
図２４を参照すれば、まず、（１）発信者は、ＷＥＢ、ＷＡＰ（ＭＥ）などの有無線インターネットまたは自動応答サービス（ＡＲＳ）システムを通じて、本発明によるＣＰサーバー−ここで、ＣＰサーバーはサービス提供ＭＣＰシステムを含む−で音源プッシュサービスに加入して、少なくとも一つ以上のタイトル曲を自分の音源プッシュサービスの音源に設定する。発信者が自分のタイトル曲を設定しなかった場合には、本サービスのサービス音源として発信者のリングバックトーン代替音または事業者が提供する基本音源が使用されることができる。ついで、（２）発信者が、電話発信時リングバックトーン代替音聴取中にＤＴＭＦショートカットキーを用いてリアルタイムで自分が設定した音源プッシュサービス内のタイトル曲または特定付加サービス音源（以下‘第１サービス音源’という）を着信者の少なくとも一つの付加サービス音源（以下‘第２サービス音源’という）としてプッシュするために、発信端末でＤＴＭＦショートカットキーを押す。発信者または着信者の付加サービス音源は、リングバックトーン代替音源、ベル音源、通話背景音源、音楽メール音源、モーニングコール音源、およびＭＯＤ／ＶＯＤ音源を含む。
【０１６２】
ついで、本発明の第２実施例による音源プッシュサービスを提供するＩＰサーバー（サービスＩＰサーバー）はＭＳＣ（Ｍｏｂｉｌｅ  Ｓｗｉｔｃｈｉｎｇ  Ｃｅｎｔｅｒ）からＤＴＭＦショートカットキーを受信する。そして、（３）サービスＩＰサーバーは、ＭＳＣから受信したＤＴＭＦショートカットキーから知能網サービス号を検出（ＤＴＭＦ  Ｄｅｔｅｃｔｉｏｎ）する。その後、（４）サービスＩＰサーバーは、発信および着信端末の電話番号情報、着信者のリングバックトーン代替音源情報およびＤＴＭＦショートカットキー情報などを含む収集情報をサービス提供システムに伝送する。具体的に、収集情報は、顧客情報（発信番号、着信番号）、ＤＴＭＦショートカットキー情報、およびリングバックトーン代替音源コードを含む。
【０１６３】
ついで、（５）サービス提供システムは、多重のＩＰサーバーから受信したデータを使用してＣＰサーバーに第１サービス音源に対する音源情報を要請し、それに対する応答信号を受信する。そして、（６）サービス提供システムは、第２サービス音源を有するＭＣＰに音源変更要求信号を伝送する。その後、（７）サービス提供システムは、着信者に発信者がプッシュした音源情報を、ＳＭＳＣを通じてＳＭＳ（Ｓｈｏｒｔ  Ｍｅｓｓａｇｅ  Ｓｅｒｖｉｃｅ）の文字メッセージで知らせる。この時、ＳＭＳ文字メッセージには、発信者による音源プッシュサービス内訳およびＣＰＡＲＳに対するコールバック番号またはＷＥＢ／ＷＡＰ（ＭＥ）サーバーに対するコールバックＵＲＬを含む。
【０１６４】
ついで、（８）サービス提供システムは、前記音源プッシュサービス結果に対する通報メッセージを着信端末に伝送したことを知らせる完了メッセージをＣＰサーバーに伝送する。（９）ＣＰサーバーは、ＷＩＳＥ（ＣＳ：Ｃｕｓｔｏｍｅｒ  Ｃａｒｅ  Ｓｙｓｔｅｍ、顧客管理システム）に着信者に対して、本サービスに対する自動加入処理を実行する。このような加入処理は、着信者が本サービスに加入されていない場合に実行される。そして、（１０）ＣＰサーバーは、発信者に音源プッシュサービスに対する課金を処理するために、ＩＤＲ（Ｉｎｔｅｒｎｅｔ  Ｄｅｔａｉｌ  Ｒｅｃｏｒｄｉｎｇ）システムに音源プッシュサービス内訳を伝送する。
【０１６５】
一方、（１１）着信者は、ＳＭＳ内に含まれたＣＰＡＲＳのコールバック番号（Ｃａｌｌ  Ｂａｃｋ  Ｎｕｍｂｅｒ）またはＷＥＢ／ＷＡＰ（ＭＥ）Ｃａｌｌ  Ｂａｃｋ  ＵＲＬを利用して、該当サービスＭＣＰシステムに接続する。この時、着信者の付加サービスがベル音ダウンロードサービスであれば、着信者はＣａｌｌ  Ｂａｃｋ  ＵＲＬを通じてベル音ＭＣＰに接続する。また、着信者の付加サービスがリングバックトーン代替音、通話背景音、音楽メール、ＭＯＤ／ＶＯＤサービス中の一つであれば、着信者はＣＰＡＲＳに接続することができ、また該当サービスを提供するＭＣＰシステムに接続することができる。そして、（１２）ＣＰサーバーは、着信者がサービス未加入者である場合、該当サービスの加入および該当音源設定をＳＣＰに要請する。
【０１６６】
つぎに、本発明の第２実施例による音源プッシュサービスの事業者間連動過程について説明する。すなわち、発信者と着信者が加入した通信網事業者が相違した場合、本発明による音源プッシュサービスは、通信網事業者間の連動によって実行される。図２５は本発明の望ましい第２実施例による音源プッシュサービスにおいて、発信者が電話発信中にＤＴＭＦショートカットキーを利用して自分が予め設定した少なくとも一つの付加サービス（第１付加サービス）の音源をほかの通信網着信者の少なくとも一つの付加サービス（第２付加サービス）の音源としてプッシュする過程を説明するための図である。図２５には本発明の理解を助けるための番号が表示される。
【０１６７】
図２５を参照すれば、まず、発信者がリングバックトーン代替音サービスを加入した着信者に発信すれば、発信者は、リングバックトーン代替音サービスシナリオによって、着信者のリングバックトーン代替音を受信する。この時、（１）発信者は、自分が設定しておいたタイトル曲、特定の付加サービス音源または本事業者が提供する基本音源を着信者の付加サービス音源としてプッシュするために、発信端末でサービス音源ショートカットキー（ＤＴＭＦショートカットキー）を入力する。（２）着信者が加入した第１通信事業者網（Ｂ事業者ネットワーク）内の第１サービスＩＰサーバーは、前記サービス音源ショートカットキーを感知（ＤＴＭＦ  Ｄｅｔｅｃｔｉｏｎ）する。そして、（３）第１サービスＩＰサーバーは、現在サービスのために収集した情報である発信者電話番号（発信者ＭＩＮ）、着信者電話番号（着信者ＭＩＮ）、リングバックトーン代替音コード、およびＤＴＭＦショートカットキー情報を第１通信事業者網内の第１サービス提供システムに伝送する。
【０１６８】
ついで、（４）第１サービス提供システムは、第１サービスＩＰサーバーから受信したデータを発信者が加入した第２通信事業者網（Ａ事業者ネットワーク）内の第２サービス提供システムに伝送する。（５）第２サービス提供システムは、第２通信事業者網内の第２ＣＰサーバーに発信者のタイトル曲情報を要請して受信する。過程（５）で、（６）発信者のタイトル曲が登録されていなければ、第２サービス提供システムは、第２付加サービスを提供する第２ＭＣＰに発信者情報を伝送して、第２付加サービスの音源に対する歌手名および曲名を受信する。そして、第２ＣＰサーバーに前記歌手名および曲名に対する音源コードを要請して受信する。この時、第２ＣＰサーバーは第１ＣＰサーバーと連動して、各ＭＣＰから提供する付加サービスに対する音源コード、歌手名および曲名が相互に参照できるように作成されたマッピングテーブルを利用して音源コードを抽出する。
【０１６９】
ついで、発信者のタイトル曲が登録されていれば、（７）第２サービス提供システムは、第１サービス提供システムに発信者のタイトル曲に対する音源情報を伝送する。（８）第１サービス提供システムは、第１通信事業者網内の第１ＣＰサーバーに発信者のタイトル曲情報および音源プッシュサービス登録を要請して、タイトル曲に対する音源コードを受信する。（９）第１サービス提供システムは、着信者に音源プッシュサービス内訳をＳＭＳで知らせる。そして、（１０）第１サービス提供システムは、第２サービス提供システムに音源プッシュサービスが完了したことを知らせる完了メッセージを伝送する。
【０１７０】
その後、（１１）着信者は、ＳＭＳ内のコールバック番号またはＵＲＬを利用して第１ＣＰサーバーに結合されたＡＲＳに接続した後、サービス加入、音源聴取および音源変更を行う。この時、着信者に対するサービス加入と音源設定要求情報はＡＲＳからＭＣＰに伝達され、必要に応じてＳＣＰに伝達される（（１２）および（１３）参照）。
【０１７１】
本発明は前記実施例に限定されず、多くの変形が本発明の思想内で当該分野で通常の知識を持った者によって可能であることは勿論である。
【産業上の利用可能性】
【０１７２】
本発明によれば、発信端末加入者としてサービス加入顧客は、オンライン上で通話試しごとに着信者のリングバックトーン代替音を聞き取った後、直ちに自分の付加サービスの音源（例えば、リングバックトーン代替音源、ベル音源、カラオケ音源、音楽メール音源、通話背景音源、ＭＯＤおよびＶＯＤ）に簡便に設定することができる。
【０１７３】
また、本発明によれば、発信者自分が設定しておいた音源（タイトル曲）または自分のリングバックトーン代替音を相手（着信者）のいろいろの付加サービス（リングバックトーン代替音サービス、背景音楽サービス、ベル音変更サービス、カラオケサービス、音楽メールサービス、ＭＯＤ／ＶＯＤサービス）の音源としてプレゼントするサービスが可能である。
【０１７４】
また、本発明によれば、発信端末加入者の発信中に両方向リアルタイムサービスが可能であり、発信端末加入者が電話発信中にＤＴＭＦショートカットキーを用いて付加サービスの音源を変更するなどのサービスを非常に便利に利用することができる。
【０１７５】
また、本発明によれば、発信端末加入者としてサービス非加入顧客には、オンライン上での通話試しごとに相手のリングバックトーン代替音を聞き取った後、すぐサービスに加入して自分の付加サービス音源に設定することができる。また、発信者の特定音源またはリングバックトーン代替音源をプレゼントとしてもらった受信者の場合にも同様にサービス加入および音源設定が非常に簡便に行えるという便宜性を提供する。
【０１７６】
また、本発明によれば、通信網事業者は、顧客に音源変更および加入便宜性を提供することで、変更回数の増大と新規加入の増大によって加入費と新規加入による固定月収入および音源設定による高付加収益創出の効果がある。
【０１７７】
また、本発明によれば、インターネットなどのオンラインに未熟な人に電話発信中にＤＴＭＦキー（ＤＴＭＦショートカットキー）を押すことでサービス加入および変更の可能なサービスを提供することにより、通信網事業者は手軽い新規加入誘導および顧客増加による付加利益の創出が可能である。また、通信網事業者、ＭＣＰおよびＣＰには顧客が音源変更を頻繁に行うことができて、音源変更による付加収益の増大が可能である。
【０１７８】
また、本発明によれば、発信端末加入者は、自分が有無線インターネットおよびＡＲＳシステムを通じて設定しておいたサービス音源（ここで、サービス音源はタイトル曲または自分の付加サービス音源を含み）を着信者のいろいろの付加サービス（ここで、付加サービスはリングバックトーン代替音サービス、通話背景音サービス、ベル音サービス、音楽メールサービス、モーニングコールサービス、ＭＯＤ／ＶＯＤサービスを含み）の音源に、電話発信中にＤＴＭＦショートカットキーを用いてリアルタイムでプッシュすることができる。すなわち、本発明によれば、発信者が電話発信中にＤＴＭＦショートカットキーを用いて手軽く自分の付加サービス音源を着信者の付加サービス音源に強制設定することができるので、付加サービス音源変更に対する便宜性および簡便さを提供する。
【０１７９】
また、本発明によれば、サービス非加入顧客であっても、電話発信中に発信者のサービス音源ショートカットキーの入力によって、発信者が自動で音源プッシュサービスに加入されるので、サービス加入手順が非常に簡便である。
【０１８０】
また、本発明によれば、通信網事業者は、サービス加入手順の便宜性および多様な付加サービス音源の変更機会を顧客に提供して、変更回数の増大と新規加入の増大によって加入費、新規加入によるサービス利用料、固定月収入および音源設定による高付加収益創出の効果がある。
【０１８１】
また、本発明によれば、インターネットなどのオンラインに未熟な人に、電話端末の特定ショートカットキーを押してサービス加入およびサービス音源設定／変更が可能なサービスを提供することにより、通信網事業者は、手軽い新規加入誘導および顧客増加による付加利益の創出が可能であり、また顧客が音源変更を頻繁に行うことができて、通信網事業者、ＭＣＰおよびＣＰは音源変更による付加収益の増大が可能である。
【図面の簡単な説明】
【０１８２】
【図１】本発明の望ましい第１実施例によるサービスを適用するための通信ネットワークの構成を概略的に示す図である。
【図２】本発明の望ましい第１実施例によるサービス提供装置を示すブロック図である。
【図３】本発明の望ましい第１実施例による電話発信中リングバックトーン代替音を利用してほかの付加サービス音源を変更するサービスを概略的に示す図である。
【図４】本発明の望ましい第１実施例によるサービスの信号処理手順を示す信号流れ図である。
【図５】本発明の望ましい第１実施例によるサービスの信号処理手順を示す信号流れ図である。
【図６】本発明の望ましい第１実施例によるサービスの信号処理手順を示す信号流れ図である。
【図７】本発明の望ましい第１実施例によるＣＰサーバーを説明するための図である。
【図８】本発明の望ましい第１実施例による電話発信中リングバックトーン代替音を利用してほかの付加サービス音源を変更するサービスの信号処理手順を示す信号流れ図である。
【図９】本発明の望ましい第１実施例によるサービスの信号処理手順を概略的に示す図である。
【図１０】本発明の第１実施例によるサービスの網連動を含む処理過程を概略的に示す図である。
【図１１】本発明の第１実施例によるサービスの網連動を含む処理過程を概略的に示す図である。
【図１２】本発明の望ましい第１実施例による音源変更サービスの加入手順を示す信号流れ図である。
【図１３】本発明の望ましい第１実施例によるサービスのショートカットキーを示す図である。
【図１４】本発明の望ましい第１実施例によるサービスのタイトル曲を説明するための図である。
【図１５】本発明の望ましい第２実施例によるサービスを適用するための通信ネットワークの構成を概略的に示す図である。
【図１６】本発明の望ましい第２実施例によるサービス提供装置を示すブロック図である。
【図１７】本発明の望ましい第２実施例による音源プッシュサービスの加入手順を示す信号流れ図である。
【図１８】本発明の望ましい第２実施例による音源プッシュサービスのためのサービス音源を設定する過程を示す信号流れ図である。
【図１９】本発明の望ましい第２実施例による音源プッシュサービスのためのショートカットキー定義を説明するための図である。
【図２０】本発明の望ましい第２実施例による音源プッシュサービスにおいて、有線インターネットを通じた本サービス加入、サービス音源設定および着信者にプッシュした音源リストを説明するための図である。
【図２１】本発明の望ましい第２実施例による音源プッシュサービスにおいて、無線インターネットを通じる本サービス加入、サービス音源設定および着信者にプッシュした音源リストを説明するための図である。
【図２２】本発明の望ましい第２実施例による音源プッシュサービスを示す信号流れ図である。
【図２３】本発明の望ましい第２実施例による音源プッシュサービスを概略的に示す図である。
【図２４】本発明の望ましい第２実施例による音源プッシュサービスを提供する過程について概略的に示す図である。
【図２５】本発明の望ましい第２実施例による音源プッシュサービスにおいて、発信者が携帯電話発信中ＤＴＭＦショートカットキーを用いて自分が予め設定した少なくとも一つの付加サービス音源をほかの通信網着信者の少なくとも一つの付加サービス音源としてプッシュする過程を説明するための図である。
【図１】
2007531343.tif 000006
【図２】
2007531343.tif 000007
【図３】
2007531343.tif 000008
【図４】
2007531343.tif 000009
【図５】
2007531343.tif 000010
【図６】
2007531343.tif 000011
【図７】
2007531343.tif 000012
【図８】
2007531343.tif 000013
【図９】
2007531343.tif 000014
【図１０】
2007531343.tif 000015
【図１１】
2007531343.tif 000016
【図１２】
2007531343.tif 000017
【図１３】
2007531343.tif 000018
【図１４】
2007531343.tif 000019
【図１５】
2007531343.tif 000020
【図１６】
2007531343.tif 000021
【図１７】
2007531343.tif 000022
【図１８】
2007531343.tif 000023
【図１９】
2007531343.tif 000024
【図２０】
2007531343.tif 000025
【図２１】
2007531343.tif 000026
【図２２】
2007531343.tif 000027
【図２３】
2007531343.tif 000028
【図２４】
2007531343.tif 000029
【図２５】
2007531343.tif 000030
【国際調査報告】
2007531343.tif 000031
2007531343.tif 000032